(57)【要約】  本発明は、研磨洗浄粒子を含む、液体の、洗浄及び／又はクレンジング組成物に関する。【特許請求の範囲】
【請求項１】
研磨洗浄粒子を含む、液体洗浄及び／又はクレンジング組成物であって、前記研磨洗浄粒子が、０．１〜０．４の平均円形度を有し、前記研磨洗浄粒子が、３〜５０ｋｇ／ｍｍ2のＨＶビッカース硬さを有する、液体洗浄及び／又はクレンジング組成物。
【請求項２】
前記研磨洗浄粒子が、好ましくは０．１５〜０．３５の、より好ましくは０．２〜０．３５の平均円形度を有し、前記円形度がＩＳＯ  ９２７６−６に従って測定されたものである、請求項１に記載の液体洗浄及び／又はクレンジング組成物。
【請求項３】
前記研磨剤粒子が、好ましくは４〜２５ｋｇ／ｍｍ2の、より好ましくは５〜１５ｋｇ／ｍｍ2のＨＶビッカース硬さを有し、前記ビッカース硬さが、ここで開示されている方法に従って測定されたものである、請求項１又は請求項２に記載の液体洗浄及び／又はクレンジング組成物。
【請求項４】
前記研磨剤粒子が、ＩＳＯ  ９２７６−６に従って、１０〜１０００μｍの、好ましくは５０〜５００μｍの、より好ましくは１００〜３５０μｍの、最も好ましくは１５０〜２５０μｍの、面積相当直径によって表される平均粒径を有する、請求項１〜３のいずれか一項に記載の液体洗浄及び／又はクレンジング組成物。
【請求項５】
前記組成物は、前記組成物の０．１重量％〜２０重量％の、好ましくは前記組成物の０．３重量％〜１０重量％の、より好ましくは０．５重量％〜５重量％の、最も好ましくは１重量％〜３重量％の前記研磨剤粒子を含む、請求項１〜４のいずれか一項に記載の液体洗浄及び／又はクレンジング組成物。
【請求項６】
前記研磨洗浄粒子が、０．１〜０．３の、好ましくは０．１５〜０．２８の、より好ましくは０．１８〜０．２５の平均粗さを有し、平均粗さが、ここで開示されている方法に従って測定されたものである、請求項１〜５のいずれか一項に記載の液体洗浄及び／又はクレンジング組成物。
【請求項７】
前記研磨洗浄粒子が、０．４〜０．７５の、好ましくは０．５〜０．７の、より好ましくは０．５５〜０．６５の平均硬度を有し、平均硬度がＩＳＯ  ９２７６−６に従って測定されたものである、請求項１〜６のいずれか一項に記載の液体洗浄及び／又はクレンジング組成物。
【請求項８】
懸濁助剤を更に含み、前記懸濁助剤が、ポリカルボキシレートポリマー増粘剤；ヒドロキシル含有脂肪酸、脂肪酸エステル、又は脂肪石鹸のワックス様材料；カルボキシメチルセルロース、エチルセルロース、ヒドロキシエチルセルロース、ヒドロキシプロピルセルロース、ヒドロキシメチルセルロース、サクシノグリカン、並びにキサンタンガム、ジェランガム、グアーガム、ローカストビーンガム、トラガカントガム、サクシノグルカンガム、若しくはこれらの誘導体のような天然起源の多糖類ポリマー、又はこれらの混合物からなる群から選択される、請求項１〜７のいずれか一項に記載の液体洗浄及び／又はクレンジング組成物。
【請求項９】
前記研磨洗浄粒子が、高分子材料から、グラインド加工又はミリング加工によって、粒子へと縮小され、高分子材料が、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミド、及びこれらの混合物からなる群から選択され、好ましくは、高分子材料が、ポリウレタン、ポリエステル、ポリアクリレート、ポリスチレン、及びこれらの混合物からなる群から選択され、より好ましくは、前記研磨剤粒子が、ジイソシアネート及びジオールから作製されたポリウレタンから得られる、請求項１〜８のいずれか一項に記載の液体洗浄及び／又はクレンジング組成物。
【請求項１０】
前記研磨洗浄粒子が、発泡高分子材料から、グラインド加工又はミリング加工によって、粒子へと縮小され、発泡高分子材料が、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミド、及びこれらの混合物からなる群から選択され、好ましくは、発泡高分子材料が、ポリウレタン、ポリエステル、ポリアクリレート、ポリスチレン、及びこれらの混合物からなる群から選択され、より好ましくは、前記研磨剤粒子が、ジイソシアネート及びジオールから作製された硬質ポリウレタン発泡体から得られる、請求項１〜９のいずれか一項に記載の液体洗浄及び／又はクレンジング組成物。
【請求項１１】
前記洗浄組成物は、洗浄基材上に添着され、前記基材が、紙若しくは不織布の、タオル又は拭き取り布、あるいはスポンジである、請求項１〜１０のいずれか一項に記載の液体洗浄及び／又はクレンジング組成物。
【請求項１２】
請求項１〜１１のいずれか一項に記載の液体洗浄及び／又はクレンジング組成物で表面を洗浄及び／又はクレンジングする方法であって、前記表面が前記組成物と接触し、好ましくは前記組成物が前記表面上に塗布される、方法。
【請求項１３】
前記表面が、無生物の表面であり、好ましくは、家庭の硬質表面、食器の表面、皮革若しくは合成皮革などの表面、及び自動車の表面からなる群から選択される、請求項１２に記載の方法。
【請求項１４】
前記表面が、生物の表面であり、好ましくは、ヒトの皮膚、動物の皮膚、ヒトの毛髪、動物の毛、並びに口腔の硬組織及び軟組織の表面、好ましくは、歯、歯肉、舌、及び頬面からなる群から選択される、請求項１２に記載の方法。
【発明の詳細な説明】
【技術分野】
【０００１】
本発明は、家屋内及び家屋周辺の硬質表面、食器表面、ヒト及び動物の皮膚、自動車及び車両の表面などを含めた、様々な無生物並びに生物の表面を、洗浄及び／又はクレンジングするための液体組成物に関する。より具体的には、本発明は、洗浄及び／又はクレンジングするために好適な粒子を含む、液体擦り磨き組成物に関する。
【背景技術】
【０００２】
研磨剤構成成分を含有する、粒子状組成物又は液体（ゲル、ペーストタイプを含む）組成物などの、擦り磨き組成物は、当該技術分野において周知である。そのような組成物は、様々な表面を、特に、染み及び汚れを除去することが困難な状態にまで汚れる傾向がある表面を、洗浄及び／又はクレンジングするために使用される。
【０００３】
現在既知の擦り磨き組成物の中でも、最も一般的なものは、球状から不規則状まで様々に異なる形状を有する研磨剤粒子に基づいている。最も一般的な研磨剤粒子は、炭酸塩、粘土、シリカ、ケイ酸塩、シェール灰、パーライト、及びケイ砂のような、無機物、あるいは、ポリプロピレン、ＰＶＣ、メラミン、尿素、ポリアクリレート、及び誘導体のような、有機高分子ビーズのいずれかであり、研磨剤粒子がその中に懸濁される、クリーム状の稠度を有する液体組成物の形態となる。
【０００４】
そのような現在既知の擦り磨き組成物の表面安全性プロファイルは、不十分であり、あるいは、十分な表面安全性プロファイルを有する組成物に関しては、貧弱な洗浄性能が示される。実際に、極めて硬質な研磨剤粒子が存在するために、これらの組成物は、それらが塗布された表面に、損傷を与える、すなわち、擦り傷を付ける恐れがあり、その一方で、より硬質ではない材料を使用する場合には、洗浄性能のレベルは不十分である。実際に、配合者は、良好な洗浄／クレンジング性能と引き換えに激しい表面損傷を特徴とするか、又は洗浄／クレンジング性能を妥協しつつ、許容可能な表面安全性プロファイルを特徴とするかの間で、選択する必要がある。加えて、そのような現在既知の擦り磨き組成物は、少なくとも特定の適用分野（例えば、硬質表面の洗浄）では、消費者によって、時代遅れであるとして認知されている。
【発明の概要】
【発明が解決しようとする課題】
【０００５】
それゆえ、本発明の目的は、家屋内及び家屋周辺の硬質表面、食器表面、口腔の硬組織及び軟組織の表面、例えば、歯、歯肉、舌、及び頬面など、ヒト及び動物の皮膚などの、無生物並びに生物の表面を含めた様々な表面を、洗浄／クレンジングするために好適な、液体洗浄及び／又はクレンジング組成物を提供することであり、この組成物は、良好な洗浄／クレンジング性能を提供する一方で、良好な表面安全性プロファイルを提供する。
【０００６】
上記の目的は、本発明による組成物によって果たされ得ることが判明している。
【０００７】
本発明による組成物は、それらの組成物を使用して、グレーズドセラミック及び非グレーズドセラミックのタイル、エナメル、ステンレス鋼、Ｉｎｏｘ（登録商標）、Ｆｏｒｍｉｃａ（登録商標）、ビニール、ワックスなしビニール、リノリウム、メラミン、ガラス、プラスチック、塗装表面、ヒト及び動物の皮膚、毛髪、口腔の硬組織及び軟組織の表面、例えば、歯、歯肉、舌、及び頬面、などのような、様々な材料で作製された、無生物並びに生物の表面を洗浄／クレンジングすることができるという利点を有する。
【０００８】
更に本発明は、本明細書の組成物中に、極めて低濃度で粒子を配合しつつも、依然として上述の利益を提供することができるという利点を有する。実際に、他の一般的な技術では、洗浄／クレンジング性能を良好にするためには、高濃度の研磨剤粒子が必要とされ、それゆえ、製剤及び加工処理の高コスト、多くのパッケージ、例えば、スクイーズボトル又はスプレーボトルとの不適応性、使用時人間工学に対する低親和性、すすぎ及び最終洗浄の難しいプロファイル、並びに、洗浄／クレンジング組成物の審美性及び好ましい手触りに関する制限がもたらされる。
【課題を解決するための手段】
【０００９】
本発明は、研磨洗浄粒子を含む液体洗浄及び／又はクレンジング組成物を目的とし、この研磨洗浄粒子は、０．１〜０．４の平均円形度を有し、この研磨洗浄粒子は、３〜５０ｋｇ／ｍｍ2のＨＶビッカース硬さを有する。
【００１０】
本発明は、研磨洗浄粒子を含む液体洗浄及び／又はクレンジング組成物を使用して、表面を洗浄及び／又はクレンジングする方法を更に包含し、表面は組成物と接触し、好ましくは組成物は表面上に塗布される。
【図面の簡単な説明】
【００１１】
【図１】先端半径の図。
【図２】粒子から粗度を算出するための方法の図。
【発明を実施するための形態】
【００１２】
液体洗浄／クレンジング組成物
本発明による組成物は、様々な無生物及び生物の表面用の、洗浄剤／クレンザーとして設計される。好ましくは本明細書の組成物は、無生物の表面、及び生物の表面からなる群から選択される表面を、洗浄／クレンジングするために好適である。
【００１３】
好ましい実施形態では、本明細書の組成物は、家庭の硬質表面、食器の表面、皮革若しくは合成皮革、及び自動車の表面からなる群から選択される無生物の表面を、洗浄／クレンジングするために好適である。
【００１４】
非常に好ましい実施形態では、本明細書の組成物は、家庭の硬質表面を洗浄するために好適である。
【００１５】
「家庭の硬質表面」とは、本明細書では、キッチン、浴室のような、家屋内及び家屋周辺で典型的には見出される、任意の種類の表面、例えば、セラミック、ビニール、ワックスなしビニール、リノリウム、メラミン、ガラス、Ｉｎｏｘ（登録商標）、Ｆｏｒｍｉｃａ（登録商標）、任意のプラスチック、樹脂加工された木材、金属、又は任意の塗装表面、若しくはニス塗り表面、若しくはシール表面などのような、種々の材料で作製される、床、壁、タイル、窓、食器戸棚、シンク、シャワー、樹脂加工カーテン、洗面台、トイレ、付属品、及び取り付け品を意味する。家庭の硬質表面にはまた、家庭用機器も含まれ、それらの家庭用機器としては、冷蔵庫、冷凍庫、洗濯機、自動乾燥機、オーブン、電子レンジ、食器洗浄機などが挙げられるが、これらに限定されない。そのような硬質表面は、一般家庭内、並びに商用環境、施設環境、及び産業環境のいずれでも見出すことができる。
【００１６】
「食器表面」とは、本明細書では、食器洗浄に見られる食器、食卓用金物、まな板、及び鍋などのような任意の種類の表面を意味する。そのような食器表面は、一般家庭内、並びに商用環境、施設環境、及び産業環境のいずれもで見出すことができる。
【００１７】
別の好ましい実施形態では、本明細書の組成物は、ヒトの皮膚、動物の皮膚、ヒトの毛髪、動物の毛、並びに口腔の硬組織及び軟組織の表面、例えば、歯、歯肉、舌、及び頬面からなる群から選択される生物の表面を、洗浄／クレンジングするために好適である。
【００１８】
本発明による組成物は、固体又は気体とは対照的に、液体組成物である。液体組成物には、水様の粘度を有する組成物、並びにゲル及びペーストなどの、増粘組成物が含まれる。
【００１９】
本明細書での好ましい実施形態では、液体組成物は、水性組成物である。したがって、それらの組成物は、組成物全体の６５重量％〜９９．５重量％の、好ましくは７５重量％〜９８重量％の、より好ましくは８０重量％〜９５重量％の水を含み得る。
【００２０】
本明細書での別の好ましい実施形態では、本明細書での液体組成物は、殆ど非水性の組成物であるが、それらの組成物は、組成物全体の０重量％〜１０重量％の水、好ましくは０重量％〜５重量％の、より好ましくは０重量％〜１重量％の、最も好ましくは、組成物全体の０重量％の水を含み得る。
【００２１】
本明細書での好ましい実施形態では、組成物は中性の組成物であり、それゆえ、２５℃で測定するとき、６〜８の、より好ましくは６．５〜７．５の、更により好ましくは７のｐＨを有する。
【００２２】
他の好ましい実施形態では、組成物は、好ましくはｐＨ  ４よりも高いｐＨを有するか、あるいは、好ましくはｐＨ  ９よりも低いｐＨを有する。
【００２３】
したがって、本明細書の組成物は、ｐＨを調整するための、好適な塩基及び酸を含み得る。
【００２４】
本明細書で使用される好適な塩基は、有機及び／又は無機の塩基である。本明細書での使用に好適な塩基は、水酸化ナトリウム、水酸化カリウム、及び／若しくは水酸化リチウムなどの苛性アルカリ、並びに／又は酸化ナトリウム及び／若しくは酸化カリウムなどのアルカリ金属酸化物、あるいはこれらの混合物である。好ましい塩基は、苛性アルカリ、より好ましくは、水酸化ナトリウム及び／又は水酸化カリウムである。
【００２５】
他の好適な塩基としては、アンモニウム、炭酸アンモニウム、全ての利用可能な炭酸塩、例えば、Ｋ2ＣＯ3、Ｎａ2ＣＯ3、Ｃａ2ＣＯ3、Ｍｇ2ＣＯ3など、アルカノールアミン（例えば、モノエタノールアミン）、尿素及び尿素誘導体、ポリアミンなどが挙げられる。
【００２６】
そのような塩基の典型的な濃度は、存在する場合、組成物全体の０．０１重量％〜５．０重量％、好ましくは０．０５重量％〜３．０重量％、より好ましくは０．１重量％〜０．６重量％の濃度である。
【００２７】
本明細書の組成物は、必要とされる程度にまでｐＨを減少させるための酸を含み得、酸が存在するにも関わらず、本明細書の組成物は、上述のような、それらの好ましい中性のｐＨを維持する。本明細書での使用に好適な酸は、有機及び／又は無機の酸である。本明細書での使用に好適な有機酸は、６未満のｐＫａを有する。好適な有機酸は、クエン酸、乳酸、グリコール酸、コハク酸、グルタル酸、及びアジピン酸、並びにこれらの混合物からなる群から選択される。これらの酸の混合物は、商品名Ｓｏｋａｌａｎ（登録商標）ＤＣＳで、ＢＡＳＦより商業的に入手可能である好適な無機酸は、塩酸、硫酸、リン酸、及びこれらの混合物からなる群から選択される。
【００２８】
そのような酸の典型的な濃度は、存在する場合、組成物全体の０．０１重量％〜５．０重量％、好ましくは０．０４重量％〜３．０重量％、より好ましくは０．０５重量％〜１．５重量％の濃度である。
【００２９】
本発明による好ましい実施形態では、本明細書の組成物は、増粘組成物である。好ましくは、本明細書の液体組成物は、２０ｓ-1で最大７５００ｃｐの粘度を有し、２０ｓ-1及び２０℃で、ＡＲ  １０００型レオメータ（ＴＡ  Ｉｎｓｔｒｕｍｅｎｔｓより供給）を、ステンレス鋼、角度２°の、４ｃｍコーン状スピンドルで使用して（０．１〜最大１００ｓｅｃ-1の線形増分、８分間）測定するとき、より好ましくは５０００ｃｐ〜５０ｃｐ、更により好ましくは２０００ｃｐ〜５０ｃｐ、最も好ましくは、１５００ｃｐ〜３００ｃｐの粘度を有する。
【００３０】
本発明による別の好ましい実施形態では、本明細書の組成物は、水様の粘度を有する。「水様の粘度」とは、本明細書では、水の粘度に近い粘度を意味する。好ましくは、本明細書の液体組成物は、６０ｒｐｍで最大５０ｃｐの粘度を有し、６０ｒｐｍ及び２０℃で、Ｂｒｏｏｋｆｉｅｌｄデジタル粘度計ＤＶ  ＩＩ型を、スピンドル２で使用して測定するとき、より好ましくは０ｃｐ〜３０ｃｐ、更により好ましくは０ｃｐ〜２０ｃｐ、最も好ましくは、０ｃｐ〜１０ｃｐの粘度を有する。
【００３１】
研磨洗浄粒子
本明細書における液体洗浄及び／又はクレンジング組成物は、例えば円形度及び十分な硬度によって定義される、有効な形状を特徴とするように選択又は合成される、研磨洗浄粒子を含む。
【００３２】
好ましい実施形態では、研磨洗浄粒子は、好ましくは非回転性である。更には、好ましい実施形態では、研磨洗浄粒子は、好ましくは鋭利である。
【００３３】
出願人は、非回転性かつ鋭利な研磨洗浄粒子が、良好な汚れ除去、及び少ない表面損傷をもたらすことを見出した。実際に、出願人は、例えば、研磨剤粒子の有効な滑動を促進するための円形度によって定義される、極めて特定の形状を、典型的な研磨剤粒子と対比すると、回転移動はかなりの程度促進され、表面から汚れを移動させる効果はより少ないことを見出した。粒子の有効な滑動を促進するための基準を満たす円形度は、０．１〜０．４の範囲である。
【００３４】
研磨洗浄粒子の形状は、様々な方法で定義することができる。本発明は、洗浄粒子の形状を、粒子の１つの形態で定義し、この形態は、粒子の幾何学的比率、より実際的には、粒子集団の幾何学的比率を反映する。極めて最近の分析技術は、多数の粒子、典型的には１００００個を超える粒子（好ましくは、１０００００個よりも多い）の、粒子形状の正確な同時測定を可能にする。このことにより、識別性能を用い粒子集団の平均形状を正確に調整及び／又は選択することが可能になる。粒子形状のこれらの測定分析は、Ｏｃｃｈｉｏ  Ｎａｎｏ  ５００粒子特性評価計器上で、その付属のソフトウェア、Ｃａｌｌｉｓｔｒｏバージョン２５（Ｏｃｃｈｉｏ  ｓ．ａ．Ｌｉｅｇｅ，Ｂｅｌｇｉｕｍ）を使用して遂行される。この計器を使用して、製造者の指示、及び以下の計器設定に従って、粒子試料を、調製、分散、画像化、及び分析する：要求される白色度＝１８０、真空時間＝５０００ｍｓ、沈降時間＝５０００ｍｓ、自動閾値、計数／分析の粒子数＝８０００〜５０００００、複製／試料の最少数＝３、レンズ設定１ｘ／１．５ｘ。
【００３５】
本発明の研磨洗浄粒子は、形状の定量的説明によって定義される。定量的説明では、形状記述子は、粒子画像又は物理的粒子特性から、数学的又は数値演算を介して算出することができる数として理解される。粒子形状は、専用の分析技術を使用して３次元で定義することができるが、出願人は、２次元での粒子形状の特性評価が、最も適切であり、洗浄粒子の研磨剤性能と相関性があることを見出した。粒子形状分析プロトコルの間、粒子は、洗浄方法の間に予想される粒子配向と同様に、重力による堆積を介して、表面に向かって配向される。それゆえ、本発明の目的は、粒子／粒子集団が堆積する表面上への、その形状の投影によって定義されるような、粒子／粒子集団の２−Ｄ形状の特性評価を考慮する。
【００３６】
好ましい実施形態では、研磨洗浄粒子は、１０μｍ〜１０００μｍの、好ましくは５０μｍ〜５００μｍの、より好ましくは１００μｍ〜３５０μｍの、最も好ましくは１５０〜２５０μｍの平均ＥＣＤを有する。
【００３７】
実際に、出願人は、研磨剤の粒径が、効率的な洗浄性能を達成するために極めて重要であり得るが、一方で、例えば、小さい粒径、典型的には１０マイクロメートル未満の粒径を有する、過剰な研磨剤集団は、小さい粒径に固有の、洗浄剤内の粒子充填量当りの粒子の数の多さを特徴とするにもかかわらず、洗浄と対比して、磨き作用を特徴とすることを見出した。他方では、例えば、１０００マイクロメートルよりも大きい、過剰に大きい粒径を有する研磨剤の集団は、粒径が大きいことに起因して洗浄剤内の粒子充填量当りの粒子数が著しく減少するために、最適な洗浄効率がもたらされない。更には、実際面で、小さくて多数の粒子は、様々な表面トポロジーから除去することが困難である場合が多く、可視の粒子残留物を表面に残存させないのであれば、除去するための過大な労力が、ユーザーに要求されることから、粒径が過剰に小さいと洗浄剤内／洗浄作業用には望ましくない。他方では、過剰に大きい粒子は、視覚的にあまりにも目につきやすくなり、又は洗浄剤の取り扱い若しくは使用の間に、不快な触覚経験を提供する。したがって、出願人は、本明細書で、最適な洗浄性能及び使用経験の双方をもたらす、最適な粒径範囲を定義する。
【００３８】
研磨剤粒子は、円相当径ＥＣＤ（ＡＳＴＭ  Ｆ１８７７−０５セクション１１．３．２）とも呼ばれる、それらの面積相当直径（ＩＳＯ  ９２７６−６：２００８（Ｅ）セクション７）によって定義されるサイズを有する。粒子集団の平均ＥＣＤは、１０マイクロメートル未満の面積相当直径（ＥＣＤ）を有する粒子のデータを、測定及び算出から除外した後の、少なくとも１００００個の粒子、好ましくは５００００個よりも多い粒子、より好ましくは１０００００個よりも多い粒子の粒子集団の、各粒子のそれぞれのＥＣＤの平均として算出される。平均データは、数に基づく測定と対比した、体積に基づく測定から抽出される。
【００３９】
好ましい一実施例では、本発明で使用される研磨洗浄粒子のサイズは、使用の間に変化し、特に、サイズは顕著に減少する。それゆえ、粒子は、液体組成物中で、使用方法の始期には、可視のまま又は触覚的に検知可能のままで維持され、有効な洗浄を提供する。洗浄方法が進行するにつれて、研磨剤粒子は、分散するか、又はより小さい粒子へと砕け、肉眼では不可視となるか、又は触覚的に検知不能となる。
【００４０】
本発明では、形状記述子は、幾何学的な記述子／形状係数の算出である。幾何学的形状係数は、２つの異なる幾何学的特性の間の比であり、このような特性は、通常は、粒子全体の像の比率の尺度、又は粒子を包囲するか、若しくは粒子の周囲に包絡線を形成する、理想的な幾何学体の比率の尺度である。これらの結果は、アスペクト比と同様の、マクロ形状の記述子であるが、しかしながら、出願人は、研磨洗浄粒子の洗浄有効性及び表面安全性性能には、メソ形状記述子（マクロ形状記述子の特定の下位分類）が特に極めて重要であることを発見した一方で、アスペクト比などの、より典型的な形状パラメータでは不十分であることが判明した。これらのメソ形状記述子は、粒子が、理想的な幾何学的形状と比較してどの程度異なっているか、特に、球体と比較してどの程度異なっているかを説明し、また付随的に、非回転性（例えば滑動）の有効な洗浄移動パターンに関する粒子の能力を定義する手助けとなる。本発明の研磨洗浄粒子は、典型的な球状、又は球状に類似する研磨剤形態、例えば、粒状の研磨剤形態とは異なる。
【００４１】
本発明の研磨洗浄粒子は、非球状である。
【００４２】
本明細書における非球状粒子は、好ましくは鋭利な縁部を有し、各粒子は凹状湾曲を有する少なくとも１つの縁部又は表面を有する。より好ましくは、本明細書における非球状粒子は、多数の鋭利縁部を有し、各粒子は凹状湾曲を有する少なくとも１つの縁部又は表面を有する。非球状粒子の鋭利縁部は、２０μｍ未満の、好ましくは８μｍ未満の、最も好ましくは５μｍの先端半径を有する縁部によって定義される。この先端半径は、縁部末端の湾曲に適合する、仮想円の直径によって定義される。
【００４３】
図１は、先端半径の図である。
【００４４】
円形度
円形度は、定量的な、２次元画像分析の形状説明であり、Ｏｃｃｈｉｏ  Ｎａｎｏ  ５００粒子特性評価計器によって、付属のソフトウェア、Ｃａｌｌｉｓｔｒｏバージョン２５（Ｏｃｃｈｉｏ  ｓ．ａ．Ｌｉｅｇｅ，Ｂｅｌｇｉｕｍ）を使用して実装されるようなＩＳＯ  ９２７６−６：２００８（Ｅ）セクション８．２に従って測定されている。円形度は、好ましいメソ形状記述子であり、Ｏｃｃｈｉｏ  Ｎａｎｏ  ５００又はＭａｌｖｅｒｎ  Ｍｏｒｐｈｏｌｏｇｉ  Ｇ３などの、形状分析計器で広く利用可能である。円形度は、しばしば粒子の形状と完全な球体との差異として文献内で説明される。円形度の値は、０〜１の範囲であり、１の円形度は、完全に球状の粒子、又は２次元画像で測定される場合の円盤状粒子を説明する。
【００４５】
【数１】
2013515149.tif 000002
式中、Ａは、２Ｄ記述子である投影面積であり、Ｐは、粒子の周囲の長さである。
【００４６】
出願人は、０．１〜０．４０の、好ましくは０．１５〜０．３５の、より好ましくは０．２〜０．３５の平均円形度を有する研磨洗浄粒子が、洗浄性能及び表面安全性を改善することを見出した。平均データは、数に基づく測定と対比した、体積に基づく測定から抽出される。
【００４７】
それゆえ、本発明の好ましい実施形態では、本明細書における研磨剤粒子は、０．１〜０．４の、好ましくは０．１５〜０．３５の、より好ましくは０．２〜０．３５の平均円形度を有する。
【００４８】
硬度
硬度は、定量的に、２次元画像分析により形状に即して記載され、Ｏｃｃｈｉｏ  Ｎａｎｏ  ５００粒子特性評価計器によって、その付属のソフトウェア、Ｃａｌｌｉｓｔｒｏバージョン２５（Ｏｃｃｈｉｏ  ｓ．ａ．Ｌｉｅｇｅ，Ｂｅｌｇｉｕｍ）を使用して実装されるようなＩＳＯ  ９２７６−６：２００８（Ｅ）セクション８．２に従って測定されている。本明細書における非球状粒子は、好ましくは、凹状湾曲を有する少なくとも１つの縁部又は表面を有する。硬度は、粒子／粒子集団の全体的な凹性を説明するメソ形状パラメーターである。硬度の値は、０〜１の範囲であり、硬度数１は、次式として文献で測定されるときの、非凹状粒子を説明する。
硬度＝Ａ／Ａｃ
式中、Ａは、粒子の面積であり、Ａｃは、粒子の境界の凸状外皮（包絡線）の面積である。
【００４９】
出願人は、０．４〜０．７５の、好ましくは０．５〜０．７の、より好ましくは０．５５〜０．６５の平均硬度を有する研磨洗浄粒子が、洗浄性能及び表面安全性を改善することを見出した。平均データは、数に基づく測定と対比した、体積に基づく測定から抽出される。
【００５０】
それゆえ、本発明の好ましい実施形態では、本明細書における研磨剤粒子は、０．４〜０．７５の、好ましくは０．５〜０．７の硬度、より好ましくは０．５５〜０．６５の平均硬度を有する。
【００５１】
硬度は、文献、又は硬度の数式を使用する一部の装置のソフトウェアでは、ＩＳＯ  ９２７６−６で説明されるその定義の代わりに、凸性と命名される場合もある（凸性＝Ｐｃ／Ｐ、式中、Ｐは、粒子の周囲の長さであり、ＰCは、粒子の境界の凸状外皮（包絡線）の周囲の長さである）。硬度と凸性とは、概念上は同様のメソ形状記述子であるが、出願人は、本明細書では、上記で示すように、Ｏｃｃｈｉｏ  Ｎａｎｏ  ５００によって上記で表される、硬度の尺度に言及する。
【００５２】
粗度
粗度は、定量的な、２次元画像分析Ｏｃｃｈｉｏ  Ｎａｎｏ  ５００粒子特性により形状に即して記載され、評価計器によって、その付属のソフトウェア、Ｃａｌｌｉｓｔｒｏバージョン２５（Ｏｃｃｈｉｏ  ｓ．ａ．Ｌｉｅｇｅ，Ｂｅｌｇｉｕｍ）を使用して実装されるような、ＩＳＯ  ９２７６−６：２００８（Ｅ）セクション８．２に従って測定されている。粗度は、粒子のコア表面積の外側の等価有用表面積である、２Ｄ測定値を定義し、０〜１の値の範囲となり得る。粗度０は、粒子のコアの周辺部に、利用可能な有用質量が存在しないことを意味する。粗度はまた、付随性と呼ばれる場合もあり、定量的な記述子であって、例えば、Ｏｃｃｈｉｏ  Ｎａｎｏ  ５００計器で利用可能なメソ形状記述子である。
【００５３】
本明細書における非球状粒子が、有用な研磨剤として、コアの周辺部で利用可能な顕著な質量の材料を有することは好ましいことから、粗度は研磨剤粒子で有用である。この周辺部質量は、洗浄性能に関して有用であり、また、粒子が回転することを防止するためにも有用である。
【００５４】
粗度は、２Ｄ測定での、０〜１の範囲の、粒子のコア表面積の外側の等価有用表面積を定義しており、粗度０は、コア粒子質量の周辺部に、利用可能な有用質量が存在しない粒子を説明する。粗度は、次のように算出される。
【００５５】
【数２】
2013515149.tif 000003
式中、Ａは、粒子の面積であり、Ａ（Ｏγ）は、「粒子のコア」と見なされるものの表面積である。Ａ−Ａ（Ｏγ）は、「粒子の周辺部の有用面積」を表し、粗度は、その有用面積の、粒子面積全体に対する分数で表される。Ｏγは、調整可能許容係数と呼ばれ、典型的には、０．８に設定されるため、粗度の定義は、Ｒｇγ＝（Ａ−Ａ（０．８）／Ａである。Ａ（０．８）を算出するために、粒子の縁部の各地点の粒子輪郭の内部に、最大量の円板を内接させる。サイズ、例えば、内接する円板の面積は、円板の直径によって定義されるが、一方で、その直径の値は、０．８×Ｄｍａｘ〜Ｄｍａｘの範囲である（Ｄｍａｘは、粒子に内接する最大の円板の直径の値である）。粒子のコア面積Ａ（０．８）は、内接する全ての円板の投影に相当する面積によって定義される。
【００５６】
図２は、粒子から粗度を算出するための方法の図である。
【００５７】
出願人は、０．１〜０．３の、好ましくは０．１５〜０．２８の、より好ましくは０．１８〜０．２５の平均粗さを有する研磨洗浄粒子が、洗浄性能及び表面安全性を改善することを見出した。平均データは、数に基づく測定と対比した、体積に基づく測定から抽出される。
【００５８】
それゆえ、本発明の好ましい実施形態では、本明細書における研磨剤粒子は、０．１〜０．３の、好ましくは０．１５〜０．２８の、より好ましくは０．１８〜０．２５の平均粗さを有する。
【００５９】
非常に好ましい実施形態では、研磨洗浄粒子は、０．１〜０．４の（好ましくは０．１５〜０．３５の、より好ましくは０．２〜０．３５の）平均円形度、０．１〜０．３の（好ましくは０．１５〜０．２８の、より好ましくは０．１８〜０．２５の）平均粗さ、及び／又は０．４〜０．７５の平均硬度（好ましくは０．５〜０．７の、より好ましくは０．５５〜０．６５の硬度）を有する。
【００６０】
「平均円形度」、「平均硬度」、又は「平均粗さ」という用語を、出願人は、１０マイクロメートル未満の面積相当直径（ＥＣＤ）を有する粒子の、円形度、又は硬度、又は粗度のデータを、測定値及び算出値から除外した後の、少なくとも１０  ０００個の粒子、好ましくは５０  ０００個よりも多い粒子、より好ましくは１００  ０００個よりも多い粒子の集団から採取される各粒子の、円形度、又は硬度、又は粗度の値の平均として見なす。平均データは、数に基づく測定と対比した、体積に基づく測定から抽出される。
【００６１】
研磨剤粒子は、網羅的ではないが、例えば、以下の材料、又は典型的には当該技術分野において既知の研磨剤材料の混合物から作成される：炭酸から誘導される塩、リン酸から誘導される塩、ピロリン酸から誘導される塩、シリカ若しくはアルミナから誘導される塩、ヒドロキシアパタイト、珪藻土、フーラー土、タルクなどのような、有機又は無機塩の研磨剤、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミドを含有する、高分子研磨剤、あるいは堅果の殻、リンゴ種子、オリーブストーン、杏仁、穀粒、木材、竹、及び植物などの、セルロース、リグノセルロース、若しくは殻に由来する、天然研磨剤。
【００６２】
好ましくは、研磨剤粒子は、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミド、及びこれらの混合物からなる群から選択される、高分子材料、並びに堅果の殻、リンゴ種子、オリーブストーン、杏仁、穀粒、木材、竹、及び植物などの、セルロース、リグノセルロース、若しくは殻に由来する、天然研磨剤、並びにこれらの混合物から作製される。より好ましくは、研磨剤粒子は、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミド、及びこれらの混合物からなる群から選択される、高分子材料から作製される。更により好ましくは、研磨剤粒子は、ポリウレタン、ポリエステル、ポリアクリレート、ポリスチレン、及びこれらの混合物からなる群から選択される、高分子材料から作製される。最も好ましくは、研磨剤粒子は、ジイソシアネート（例えば、Ｌｕｐｒａｎａｔｅ  Ｍ２００Ｒ又はＬｕｐｒａｎａｔｅ  Ｍ２０Ｓ）及びジオール（Ｌｕｐｒａｎｏｌ  ３４２３）から作製される、硬質ポリウレタンから作製される。
【００６３】
対象とされる円形度の範囲によって定義される、有用な形状を特徴とする研磨剤粉末の形へと上記の材料を縮小するために、典型的な剪断又は粒状化法、また他の調製法、例えば、凝集化、焼き付け、彫刻などのような、当該技術分野において説明される粒成形方法を使用することができる。従来の成形方法は、従来の研磨剤材料を、充填剤として、熱可塑性又は凝固マトリックスに混合することによって促進される場合がある。例えば、マトリックスの選択、及び対応する充填剤の投入を包含する、前出の方法は、当該技術分野において既知である。有効な円形度の範囲に適合する粒子を得るための、特に好ましい方法は、研磨剤原材料それ自体、又はマトリックス内に分散した研磨剤材料を、発泡成形することと、効率を改善させて、得られた発泡体を研磨剤粒子へと縮小させることからなる。発泡成形方法及び発泡体構造は、典型的には、ガス膨張方法を介して、例えば、ガス又は溶媒を研磨剤前駆体内に注入し、圧力低下及び／又は温度の上昇によって膨張させる、例えば押出し発泡成形方法によって、あるいは、より簡便に、その場発生ガスを使用して、その後研磨剤前駆体を硬化させる、例えばポリウレタン発泡成形方法のいすれかによって、達成される。あるいは、発泡体構造はまた、乳化方法に続く、硬化及び乾燥工程を介して、達成することもできる。
【００６４】
本明細書での非常に好ましい実施形態では、研磨洗浄粒子の幾何学的形状記述子（すなわち、円形度、粗度、及び／又は硬度）を達成するために、研磨洗浄粒子は、発泡高分子材料から得られ、この発泡高分子材料は、本明細書で後に説明するように、好ましくはグラインド加工又はミリング加工によって研磨剤粒子へと縮小される。
【００６５】
出願人は、密度が１００ｋｇ／ｍ3よりも大きい、更に最大で５００ｋｇ／ｍ3の密度を有する発泡体から作製された、研磨剤粒子を使用することで、良好な洗浄効率が得られることを見出した。しかしながら、出願人は、驚くべきことに、発泡体の密度が１００ｋｇ／ｍ3未満、より好ましくは５ｋｇ／ｍ3〜１００ｋｇ／ｍ3、最も好ましくは２５ｋｇ／ｍ3〜５０ｋｇ／ｍ3である場合に、著しくより良好な洗浄効果を達成し得ることを見出した。
【００６６】
同様に、出願人は、独立気泡構造を特徴とする発泡体から作製された研磨剤粒子により、良好な洗浄効率が達成され得ることを見出したが、しかしながら、出願人は、驚くべきことに、連続気泡構造を有する発泡体により、著しく良好な洗浄効果が達成され得ることを見出した。
【００６７】
同様に、出願人は、良好な洗浄効率が、２０マイクロメートル〜２０００マイクロメートルの範囲の気泡サイズを特徴とする発泡体から作製された研磨剤粒子により達成され得ることを見出した。しかしながら、出願人は、驚くべきことに、１００〜１０００マイクロメートルの、より好ましくは２００〜５００マイクロメートルの、最も好ましくは３００〜４５０マイクロメートルの気泡サイズを特徴とする発泡体により、著しく良好な洗浄効果が達成され得ることを見出した。発泡体の気泡サイズは、例えば、ＡＳＴＭ  Ｄ３５７６に記載されるプロトコルを使用して測定することができる。
【００６８】
好ましい実施形態では、発泡体を粒子へと縮小することを補助するために、発泡体は、好ましくは例えば応力に対して、十分な脆性を有し、変形する傾向を殆ど有さず、むしろ粒子へと砕ける傾向を有する。
【００６９】
次いで、発泡構造体を、本明細書で説明されるような標的サイズ及び標的形状に、正確にグラインド加工することによって、有効な粒子が製造される。それゆえ、例えば、大きい粒径が所望される場合、大きい気泡サイズを有する発泡体が望ましく、逆の場合もまた同様である。更には、発泡体構造を粒子へと縮小しつつ、最適な粒子形状を保持するためには、標的粒径を、発泡体の気泡サイズの寸法よりも過度に小さくしないことが推奨される。典型的には、標的粒径は、発泡体の気泡サイズの約半分よりも小さいものではない。
【００７０】
発泡体を粒子へと縮小することを補助するために、発泡体は、好ましくは、例えば応力に対して十分な脆性を有し、変形する傾向を殆ど有さず、破砕しやすい。本発明に関して使用される発泡体は、好ましくは、検出可能な相転移温度（例えば、ガラス転移、又は融解温度）を有さないか、又は使用温度よりも著しく高い相転移温度を有する。好ましくは、相転移温度は、使用温度よりも、少なくとも２０℃、好ましくは４０℃高い。
【００７１】
発泡体を、本明細書における研磨剤粒子へと縮小する好適な方法の１つは、発泡体をグラインド加工又はミリング加工することである。他の好適な手段としては、集塵装置を備える高速の削剥ホイールなどの、削剥器具の使用が挙げられ、このホイールの表面は、パターンが彫刻されるか、又は研磨紙などでコーティングされ、発泡体が、本明細書における研磨剤粒子を形成することを促進する。
【００７２】
あるいは、また本明細書での非常に好ましい実施形態では、発泡体は、幾つかの段階で粒子へと縮小することができる。最初に、バルク状の発泡体を、手作業で細断するか若しくは切断することによって、又は、砕塊機、例えばＳ  Ｈｏｗｅｓ，Ｉｎｃ．（Ｓｉｌｖｅｒ  Ｃｒｅｅｋ，ＮＹ）製の２０３６型などの機械的器具を使用して、寸法数ｃｍの小片へと砕くことができる。
【００７３】
好ましくは、グラインド加工又はミリング加工の操作を介して得られる研磨洗浄粒子は、気泡構造を有さない単一の粒子である。
【００７４】
これに付随して、驚くべきことに、本発明の研磨洗浄粒子は、好ましくは組成物全体の０．１重量％〜２０重量％、好ましくは０．３重量％〜１０重量％、より好ましくは０．５重量％〜５重量％、更により好ましくは１．０重量％〜３．０重量％などといった、比較的低濃度の場合でさえ、良好な洗浄性能を示すことが見いだされた。
【００７５】
好ましい実施形態では、研磨剤粒子は、発泡体から、その発泡体を研磨剤粒子へと縮小することによって（好ましくは、グラインド加工又はミリング加工によって）得られる。より好ましくは、研磨剤粒子は、発泡高分子材料から得られ、高分子材料は、ポリエチレン、ポリプロピレン、ＰＶＣ、ポリカーボネート、メラミン、尿素、ポリウレタン、ポリアクリレート、ポリスチレン、フェノール樹脂、ポリエステル、ポリアミド、及びこれらの混合物からなる群から選択される。更により好ましくは、研磨剤粒子は、ポリウレタン、ポリエステル、ポリアクリレート、ポリスチレン、及びこれらの混合物からなる群から選択される、発泡高分子材料から得られる。最も好ましくは、研磨剤粒子は、ジイソシアネート（例えば、Ｌｕｐｒａｎａｔｅ  Ｍ２００Ｒ又はＬｕｐｒａｎａｔｅ  Ｍ２０Ｓ）及びジオール（Ｌｕｐｒａｎｏｌ  ３４２３）から作製される、硬質ポリウレタン発泡体から得られる。
【００７６】
本発明で使用される粒子は、白色透明とすることができ、あるいは好適な染料及び／又は顔料の使用によって着色することができる。更には、好適な色相安定剤を使用して、所望の色を安定化することができる。
【００７７】
研磨剤粒子の硬度：
本明細書での使用に好適な、好ましい研磨洗浄粒子は、良好な洗浄／クレンジング性能を提供するために十分硬質である一方で、良好な表面安全性プロファイルを提供する。
【００７８】
発泡体から縮小される研磨剤粒子の硬度は、発泡体を調製するために使用される原材料を変更することによって変更することができる。例えば、ポリウレタン発泡体の硬度の変更は、幾つかの方法により可能である。例えば、網羅的ではないが、ジイソシアネート、特に、例えば官能性が＞２の、好ましくは＞２．５の、最も好ましくは２．７よりも大きい、高度に官能性であるイソシアネートを選択すると、ポリウレタンの硬度が増加する。同様に、例えば官能性が＜４０００Ｍｗの、好ましくは＜２０００Ｍｗの、最も好ましくは、１０００Ｍｗ未満の低分子量ポリオールを使用することによっても、ポリウレタンの硬度は増加する。反応混合物中のジイソシアネート／ポリオールの平衡性はより重要なものであるが、ジイソシアネートが過剰であっても発泡体の硬度は増加する。硬度を増加させる別の可能性としては、小分子量の架橋剤を導入することが挙げられる。あるいは、発泡体の硬度を増加させるための更なる方法としては、尿素結合の形成を促進するような触媒を選択することが挙げられる。
【００７９】
本発明の好ましい研磨洗浄粒子は、３〜５０ｋｇ／ｍｍ2の、好ましくは４〜２５ｋｇ／ｍｍ2の、最も好ましくは５〜１５ｋｇ／ｍｍ2のＨＶビッカース硬さを有する。
【００８０】
ビッカース硬さ試験方法：
ビッカース硬さＨＶを、標準法：ＩＳＯ  １４５７７−１、ＩＳＯ  １４５７７−２、ＩＳＯ  １４５７７−３に従って、２３℃で測定する。ビッカース硬さは、少なくとも厚さが２ｍｍの、原材料の中実ブロックから測定する。ビッカース硬さのマイクロ圧入測定を、ＣＳＭ  Ｉｎｓｔｒｕｍｅｎｔｓ  ＳＡ（Ｐｅｓｅｕｘ，Ｓｗｉｔｚｅｒｌａｎｄ）により製造される、マイクロ硬度計（ＭＨＴ）を使用することによって実施する。
【００８１】
ＩＳＯ  １４５７７の指示に従って、試験表面は、粗度（Ｒａ）の値が圧子侵入最大深度の５％未満である平坦で滑らかなものとするべきである。最大深度が２００μｍとは、Ｒａ値が１０μｍ未満であることと同等である。ＩＳＯ  １４５７７に従って、そのような表面は、任意の好適な手段によって調製することができ、それらの手段としては、新品の鋭利なミクロトーム若しくは外科用メスの刃を使用する、試験材料片の切断、グラインド加工、研磨加工、又は溶融した材料を平坦で滑らかな注型枠上に流し込み、その材料を試験前に完全に凝固させることによる手段を挙げることができる。
【００８２】
マイクロ硬度計（ＭＨＴ）に関する好適な全般的設定は、以下の通りである。
制御モード：変位、連続的
最大変位：２００μｍ
接近速度：２０ｎｍ／秒
ゼロ点判定：接触時
接触時の熱ドリフトを測定するための保持期間：６０秒
荷重印加時間：３０秒
データロギングの頻度：少なくとも毎秒
最大荷重の保持時間：３０秒
荷重除去時間：３０秒
圧子先端の形状／材料：ビッカースピラミッド形状／ダイアモンドチップ
【００８３】
あるいは、本発明の研磨洗浄粒子の硬度は、モース硬さスケールに従って表すこともできる。好ましくは、このモース硬さは、０．５〜３．５、最も好ましくは１〜３からなる。モース硬さスケールは、化合物の硬度を、既知の硬度の化合物と対比して測定するための、国際的に承認されたスケールであり、Ｅｎｃｙｃｌｏｐｅｄｉａ  ｏｆ  Ｃｈｅｍｉｃａｌ  Ｔｅｃｈｎｏｌｏｇｙ，Ｋｉｒｋ−Ｏｔｈｍｅｒ，４  ｔｈ  Ｅｄｉｔｉｏｎ  Ｖｏｌ  １，１８ページ、又はＬｉｄｅ，Ｄ．Ｒ（ｅｄ）ＣＲＣ  Ｈａｎｄｂｏｏｋ  ｏｆ  Ｃｈｅｍｉｓｔｒｙ  ａｎｄ  Ｐｈｙｓｉｃｓ，７３  ｒｄ  ｅｄｉｔｉｏｎ，Ｂｏｃａ  Ｒａｔｏｎ，Ｆｌａ．：Ｔｈｅ  Ｒｕｂｂｅｒ  Ｃｏｍｐａｎｙ，１９９２〜１９９３を参照されたい。既知のモース硬さを有する材料を包含する、多くのモース試験キットが市販されている。選択されたモース硬さを有する研磨剤材料の測定及び選択に関しては、未成形の粒子、例えば、球状又は粒状の形態の研磨剤材料を使用して、モース硬さ測定を実行することが推奨されるが、これは、成形粒子のモース硬さ測定では、誤った結果が提供されるためである。
【００８４】
出願人は、本明細書で説明されるような２次元の形状パラメーターに従って、研磨洗浄粒子を選択することによって、０．１〜０．４の平均円形度、及び３ｋｇ／ｍｍ2〜５０ｋｇ／ｍｍ2のビッカース硬さ、並びに好ましくは、０．４〜０．７５の平均硬度、及び／又は０．１〜０．３の平均粗さを有する研磨洗浄粒子が、良好な洗浄有効性及び表面安全性を提供することを見出した。
【００８５】
任意成分
本発明による組成物は、目的とする技術的効果及び処理される表面に応じて、様々な任意成分を含み得る。
【００８６】
本明細書での使用に好適な任意成分としては、キレート剤、界面活性剤、ラジカルスカベンジャー、香料、表面変性ポリマー、溶媒、ビルダー、緩衝剤、殺菌剤、ヒドロトロープ、着色剤、安定剤、漂白剤、漂白活性化剤、脂肪酸のような泡制御剤、酵素、汚れ懸濁剤、光沢剤、抗ダスティング剤、分散剤、顔料、及び染料が挙げられる。
【００８７】
懸濁助剤
本明細書の組成物中に存在する研磨洗浄粒子は、液体組成物中の固体粒子である。この研磨洗浄粒子は、液体組成物中に懸濁することができる。しかしながら、そのような研磨洗浄粒子が、組成物内に安定して懸濁されるものではなく、沈殿するか又は組成物の上面に浮遊するかのいずれかのものであることは、十分に本発明の範囲内である。この場合には、ユーザーは、使用の前に組成物を攪拌する（例えば、振盪するか、又は掻き混ぜる）ことによって、一時的に研磨洗浄粒子を懸濁させなければならない場合がある。
【００８８】
しかしながら、本明細書では、研磨洗浄粒子は、本明細書の液体組成物中に安定して懸濁されることが好ましい。それゆえ、本明細書の組成物は、懸濁助剤を含む。
【００８９】
本明細書における懸濁助剤は、本発明の液体組成物に研磨洗浄粒子を懸濁をさせるために特異的に選択される、構造剤などの化合物、又は増粘剤若しくは界面活性剤（本明細書の他の箇所で説明される）などの、別の機能も提供する化合物のいずれかであってよい。
【００９０】
洗浄／クレンジング組成物中、及び他の洗剤若しくは化粧品組成物中で、ゲル化剤、増粘剤、若しくは懸濁剤として典型的に使用される、任意の好適な有機及び無機の懸濁助剤を、本明細書で使用することができる。実際に、好適な有機懸濁助剤としては、多糖類ポリマーが挙げられる。追加的に、又は代替として、ポリカルボキシレートポリマー増粘剤を、本明細書で使用することができる。同様に、追加的に、又は上記の代替として、層状シリケート化合物小板、例えば、ヘクトライト、ベントナイト、モンモリナイトもまた使用することができる。好適な市販の層状シリケート化合物は、Ｒｏｃｋｗｏｏｄ  Ａｄｄｉｔｉｖｅｓより入手可能な、Ｌａｐｏｎｉｔｅ  ＲＤ（登録商標）又はＯｐｔｉｇｅｌ  ＣＬ（登録商標）である。
【００９１】
好適なポリカルボキシレートポリマー増粘剤としては、架橋された（好ましくは、軽度に架橋された）ポリアクリレートが挙げられる。特に好適なポリカルボキシレートポリマー増粘剤は、Ｌｕｂｒｉｚｏｌより、商品名Ｃａｒｂｏｐｏｌ  ６７４（登録商標）で市販されている、カーボポールである。
【００９２】
本明細書での使用に好適な多糖類ポリマーとしては、カルボキシメチルセルロース、エチルセルロース、ヒドロキシエチルセルロース、ヒドロキシプロピルセルロース、ヒドロキシメチルセルロースのような、置換セルロース材料、サクシノグリカン、及びキサンタンガム、ジェランガム、グアーガム、ローカストビーンガム、トラガカントガム、サクシノグルカンガム、若しくはこれらの誘導体のような、天然起源の多糖類ポリマー、又はこれらの混合物が挙げられる。キサンタンガムは、Ｋｅｌｃｏより、商品名Ｋｅｌｚａｎ  Ｔで市販されている。
【００９３】
好ましくは、本明細書における懸濁助剤は、キサンタンガムである。代替的な実施形態では、本明細書における懸濁助剤は、ポリカルボキシレートポリマー増粘剤、好ましくは、架橋された（好ましくは、軽度に架橋された）ポリアクリレートである。本明細書における非常に好ましい実施形態では、液体組成物は、多糖類ポリマー、又はその混合物、好ましくはキサンタンガムと、ポリカルボキシレートポリマー、又はその混合物、好ましくは架橋ポリアクリレートとの組み合わせを含む。
【００９４】
好ましい実施例として、キサンタンガムは、好ましくは、組成物全体の０．１重量％〜５重量％、より好ましくは０．５重量％〜２重量％、更により好ましくは０．８重量％〜１．２重量％の濃度で存在する。
【００９５】
有機溶媒
任意ではあるが、非常に好ましい成分として、本明細書の組成物は、有機溶媒、又はその混合物を含む。
【００９６】
本明細書の組成物は、組成物全体の０重量％〜３０重量％の、より好ましくは１．０重量％〜２０重量％の、最も好ましくは２重量％〜１５重量％の有機溶媒、又はその混合物を含む。
【００９７】
好適な溶媒は、４〜１４個の炭素原子、好ましくは６〜１２個の炭素原子、より好ましくは８〜１０個の炭素原子を有する、脂肪族のアルコール、エーテル、及びジエーテル；グリコール、又はアルコキシル化グリコール；グリコールエーテル；アルコキシル化芳香族アルコール；芳香族アルコール；テルペン；及びこれらの混合物からなる群から選択することができる。脂肪族アルコール及びグリコールエーテルの溶媒が最も好ましい。
【００９８】
式Ｒ−ＯＨの脂肪族アルコールであって、式中、Ｒが、炭素原子が１〜２０個の、好ましくは２〜１５個の、より好ましくは５〜１２個の、直鎖又は分枝鎖、飽和又は不飽和のアルキル基であるものが、好適な溶媒である。好適な脂肪族アルコールは、メタノール、エタノール、プロパノール、イソプロパノール、又はこれらの混合物である。脂肪族アルコールの中でも、蒸気圧が高く、及び残留物を残さない傾向があることから、エタノール及びイソプロパノールが最も好ましい。
【００９９】
本明細書で使用される好適なグリコールは、式ＨＯ−ＣＲ1Ｒ2−ＯＨによるものであり、式中、Ｒ１及びＲ２は、独立して、Ｈ、又はＣ2〜Ｃ10の飽和若しくは不飽和の脂肪族炭化水素鎖及び／又は環である。本明細書で使用される好適なグリコールは、ドデカングリコール及び／又はプロパンジオールである。
【０１００】
好ましい一実施形態では、少なくとも１種のグリコールエーテル溶媒が、本発明の組成物中に組み込まれる。特に好ましいグリコールエーテルは、１〜３個のエチレングリコール部分又はプロピレングリコール部分に結合された、末端Ｃ3〜Ｃ6炭化水素を有し、適切な程度の疎水性、及び好ましくは表面活性を提供する。エチレングリコールの化学的性質に基づく市販の溶媒の例としては、Ｄｏｗ  Ｃｈｅｍｉｃａｌより入手可能な、モノ−エチレングリコールｎ−ヘキシルエーテル（Ｈｅｘｙｌ  Ｃｅｌｌｏｓｏｌｖｅ（登録商標））が挙げられる。プロピレングリコールの化学的性質に基づく市販の溶媒の例としては、プロピル及びブチルアルコールの、ジ−及びトリ−プロピレングリコール誘導体が挙げられ、それらは、Ａｒｃｏより、商品名Ａｒｃｏｓｏｌｖ（登録商標）及びＤｏｗａｎｏｌ（登録商標）で入手可能である。
【０１０１】
本発明に関連して、好適な溶媒は、モノプロピレングリコールモノプロピルエーテル、ジプロピレングリコールモノプロピルエーテル、モノプロピレングリコールモノブチルエーテル、ジプロピレングリコールモノプロピルエーテル、ジプロピレングリコールモノブチルエーテル、トリプロピレングリコールモノブチルエーテル、エチレングリコールモノブチルエーテル、ジエチレングリコールモノブチルエーテル、エチレングリコールモノヘキシルエーテル、及びジエチレングリコールモノヘキシルエーテル、並びにこれらの混合物からなる群から選択される。「ブチル」は、ノルマルブチル基、イソブチル基、及び第三級ブチル基を含む。モノ−プロピレングリコール及びモノ−プロピレングリコールモノ−ブチルエーテルが、最も好ましい洗浄溶媒であり、商品名Ｄｏｗａｎｏｌ  ＤＰｎＰ（登録商標）及びＤｏｗａｎｏｌ  ＤＰｎＢ（登録商標）で入手可能である。ジ−プロピレングリコールモノ−ｔ−ブチルエーテルは、Ａｒｃｏ  Ｃｈｅｍｉｃａｌより、商品名Ａｒｃｏｓｏｌｖ  ＰＴＢ（登録商標）で市販されている。
【０１０２】
特に好ましい実施形態では、洗浄溶媒は、不純物を最小限に抑えるために精製される。そのような不純物としては、アルデヒド、二量体、三量体、オリゴマー、及び他の副生成物が挙げられる。これらの不純物は、生成物の臭気、香料の溶解度、及び最終結果に悪影響を及ぼすことが見出されている。発明者らはまた、低濃度のアルデヒドを含有する、一般的な市販の溶媒が、特定の表面の不可逆的かつ修復不能な黄変を引き起こし得ることも見出した。洗浄溶媒を精製して、そのような不純物を最小限に抑えるか、又は除去することによって、表面の損傷は低減されるか、又は解消される。
【０１０３】
好ましいものではないが、本発明では、テルペンを使用することができる。本明細書で使用される好適なテルペンは、単環式テルペン、二環式テルペン、及び／又は非環式テルペンである。好適なテルペンは、Ｄ−リモネン；ピネン；松根油；テルピネン；メントール、テルピネオール、ゲラニオール、チモールのような、テルペン誘導体；及びシトロネラ若しくはシトロネロールのタイプの成分である。
【０１０４】
本明細書で使用される好適なアルコキシル化芳香族アルコールは、式Ｒ−（Ａ）n−ＯＨによるものであり、式中、Ｒは、炭素原子が１〜２０個の、好ましくは２〜１５個の、より好ましくは２〜１０個の、アルキル置換又はアルキル非置換のアリール基であり、Ａは、アルコキシ基、好ましくは、ブトキシ基、プロポキシ基、及び／又はエトキシ基であり、ｎは、１〜５、好ましくは１〜２の整数である。好適なアルコキシル化芳香族アルコールは、ベンゾキシエタノール及び／又はベンゾキシプロパノールである。
【０１０５】
本明細書で使用される好適な芳香族アルコールは、式Ｒ−ＯＨに従うものであり、式中、Ｒは、炭素原子が１〜２０個の、好ましくは１〜１５個の、より好ましくは１〜１０個の、アルキル置換又はアルキル非置換のアリール基である。例えば、本明細書で使用される好適な芳香族アルコールは、ベンジルアルコールである。
【０１０６】
界面活性剤
本明細書の組成物は、非イオン性、アニオン性、双性イオン性、カチオン性、及び両性の界面活性剤、又はこれらの混合物を含み得る。好適な界面活性剤は、８〜１８個の炭素原子を含有する疎水性鎖を有する、非イオン性、アニオン性、双性イオン性、カチオン性、及び両性の界面活性剤からなる群から選択されるものである。好適な界面活性剤の例は、ＭｃＣｕｔｃｈｅｏｎ’ｓ  Ｖｏｌ．１：Ｅｍｕｌｓｉｆｉｅｒｓ  ａｎｄ  Ｄｅｔｅｒｇｅｎｔｓ，Ｎｏｒｔｈ  Ａｍｅｒｉｃａｎ  Ｅｄ．（ＭｃＣｕｔｃｈｅｏｎ  Ｄｉｖｉｓｉｏｎ  ＭＣ  Ｐｕｂｌｉｓｈｉｎｇ  Ｃｏ．，２００２）に記載されている。
【０１０７】
好ましくは、本明細書の組成物は、組成物全体の０．０１重量％〜２０重量％の、より好ましくは０．５重量％〜１０重量％の、最も好ましくは１重量％〜５重量％の界面活性剤、又はその混合物を含む。
【０１０８】
非イオン性界面活性剤が、本発明の組成物での使用に関して、非常に好ましい。好適な非イオン性界面活性剤の非限定的な例としては、アルコールアルコキシレート、アルキル多糖類、アミンオキシド、エチレンオキシドとプロピレンオキシドとのコポリマー、フッ素系界面活性剤、及びシリコン系界面活性剤が挙げられる。好ましくは、この水性組成物は、組成物全体の０．０１重量％〜２０重量％の、より好ましくは０．５重量％〜１０重量％の、最も好ましくは１重量％〜５重量％の非イオン性界面活性剤、又はその混合物を含む。
【０１０９】
本発明に関して好適な、非イオン性界面活性剤の好ましい部類は、アルキルエトキシレートである。本発明のアルキルエトキシレートは、直鎖又は分枝鎖のいずれかであり、疎水性の末端部に、炭素原子８個〜炭素原子１６個、及び親水性の先端基に、エチレンオキシド単位３個〜エチレンオキシド単位２５個を含有する。アルキルエトキシレートの例としては、Ｓｈｅｌｌ  Ｃｏｒｐｏｒａｔｉｏｎ（Ｐ．Ｏ．Ｂｏｘ  ２４６３，１  Ｓｈｅｌｌ  Ｐｌａｚａ  Ｈｏｕｓｔｏｎ，Ｔｅｘａｓ）により供給されるＮｅｏｄｏｌ  ９１−６（登録商標）、Ｎｅｏｄｏｌ  ９１−８（登録商標）、及びＣｏｎｄｅａ  Ｃｏｒｐｏｒａｔｉｏｎ（９００  Ｔｈｒｅａｄｎｅｅｄｌｅ  Ｐ．Ｏ．Ｂｏｘ  １９０２９，Ｈｏｕｓｔｏｎ，ＴＸ）により供給される、Ａｌｆｏｎｉｃ  ８１０−６０（登録商標）が挙げられる。より好ましいアルキルエトキシレートは、疎水性の末端部に、炭素原子９〜１２個、及び親水性の先端基に、エチレンオキシド単位４〜９個を含む。最も好ましいアルキルエトキシレートは、Ｃ9〜11  ＥＯ5であり、Ｓｈｅｌｌ  Ｃｈｅｍｉｃａｌ  Ｃｏｍｐａｎｙより、商品名Ｎｅｏｄｏｌ  ９１−５（登録商標）で入手可能である。非イオン性エトキシレートはまた、分枝状アルコールから誘導することもできる。例えば、アルコールは、プロピレン又はブチレンなどの、分枝状オレフィン原材料から作製することができる。好ましい実施形態では、分枝状アルコールは、２−プロピル−１−ヘプチルアルコール、又は２−ブチル−１−オクチルアルコールのいずれかである。望ましい分枝状アルコールエトキシレートは、２−プロピル−１−ヘプチルＥＯ７／ＡＯ７であり、ＢＡＳＦ  Ｃｏｒｐｏｒａｔｉｏｎより、商品名Ｌｕｔｅｎｓｏｌ  ＸＰ  ７９／ＸＬ  ７９（登録商標）で、製造及び販売されている。
【０１１０】
本発明に関して好適な、非イオン性界面活性剤の別の部類は、アルキル多糖類である。そのような界面活性剤は、米国特許第４，５６５，６４７号、同第５，７７６，８７２号、同第５，８８３，０６２号、及び同第５，９０６，９７３号に開示されている。アルキル多糖類の中でも、５及び／又は６炭糖の環を含むアルキル多糖類が好ましく、６炭糖の環を含むアルキル多糖類がより好ましく、それら６炭糖の環がグルコースから誘導されるアルキル多糖類、すなわち、アルキルポリグリコシド（「ＡＰＧ」）が最も好ましい。ＡＰＧ中のアルキル置換基の鎖長は、好ましくは、８〜１６個の炭素原子を含有するものであり、炭素原子１０個の平均鎖長を有する、飽和又は不飽和のアルキル部分である。Ｃ8〜Ｃ16アルキルポリグリコシドは、幾つかの供給元から市販されている（例えば、Ｓｅｐｐｉｃ  Ｃｏｒｐｏｒａｔｉｏｎ（７５  Ｑｕａｉ  ｄ’Ｏｒｓａｙ，７５３２１  Ｐａｒｉｓ，Ｃｅｄｅｘ  ７，Ｆｒａｎｃｅ））製のＳｉｍｕｓｏｌ（登録商標）界面活性剤、並びにＣｏｇｎｉｓ  Ｃｏｒｐｏｒａｔｉｏｎ（Ｐｏｓｔｆａｃｈ  １３  ０１  ６４，Ｄ  ４０５５１，Ｄｕｓｓｅｌｄｏｒｆ，Ｇｅｒｍａｎｙ）製のＧｌｕｃｏｐｏｎ  ２２０（登録商標）、Ｇｌｕｃｏｐｏｎ  ２２５（登録商標）、Ｇｌｕｃｏｐｏｎ  ４２５（登録商標）、Ｐｌａｎｔａｒｅｎ  ２０００Ｎ（登録商標）、及びＰｌａｎｔａｒｅｎ  ２０００Ｎ  ＵＰ（登録商標））。
【０１１１】
本発明に好適な、非イオン性界面活性剤の別の部類は、アミンオキシドである。アミンオキシド、具体的には、疎水性の末端部に、炭素原子１０個〜炭素原子１６個を含むアミンオキシドは、濃度０．１０％未満の場合でさえ洗浄プロファイルが強力でありかつ有効であるから、有益である。更には、Ｃ10〜16アミンオキシド、特にＣ12〜Ｃ14アミンオキシドは、香料の優れた可溶化剤である。本明細書で使用する代替的な非イオン性洗剤界面活性剤は、アルコキシル化アルコールであり、一般に、そのアルコールの疎水性アルキル鎖に８〜１６個の炭素原子を含む。典型的なアルコキシル化基は、プロポキシ基、又はプロポキシ基と組み合わせることでアルキルエトキシプロポキシレートを生成するエトキシ基である。そのような化合物は、Ｒｈｏｄｉａ（４０  Ｒｕｅ  ｄｅ  ｌａ  Ｈａｉｅ−Ｃｏｑ  Ｆ−９３３０６，Ａｕｂｅｒｖｉｌｌｉｅｒｓ  Ｃｅｄｅｘ，Ｆｒａｎｃｅ）より入手可能な、商品名Ａｎｔａｒｏｘ（登録商標）、及びＳｈｅｌｌ  Ｃｈｅｍｉｃａｌより入手可能な、商品名Ｎｏｎｉｄｅｔ（登録商標）で、市販されている。
【０１１２】
プロピレンオキシドとプロピレングリコールとの縮合によって形成される、疎水性塩基と、エチレンオキシドとの縮合生成物も、本明細書での使用に好適である。これらの化合物の疎水性の部分は、好ましくは、１５００〜１８００の分子量を有し、非水溶性を呈する。この疎水性の部分にポリオキシエチレン部分を追加させると、分子全体としての水溶性が増加する傾向があり、生成物の液体特性は、ポリオキシエチレン含有量が、縮合生成物全体の約５０重量％となる点まで保持される。これは、最大４０モルのエチレンオキシドと縮合することに相当する。このタイプの化合物の例としては、ＢＡＳＦにより販売される、幾つかの市販のＰｌｕｒｏｎｉｃ（登録商標）界面活性剤が挙げられる。化学的には、そのような界面活性剤は、（ＥＯ）x（ＰＯ）y（ＥＯ）z又は（ＰＯ）x（ＥＯ）y（ＰＯ）zの構造を有し、式中、ｘ、ｙ、及びｚは、１〜１００、好ましくは３〜５０である。良好な湿潤界面活性剤であることが既知のＰｌｕｒｏｎｉｃ（登録商標）界面活性剤が、より好ましい。Ｐｌｕｒｏｎｉｃ（登録商標）界面活性剤の説明、及び湿潤特性を含めたその特性は、ＢＡＳＦより入手可能な、表題「ＢＡＳＦ  Ｐｅｒｆｏｒｍａｎｃｅ  Ｃｈｅｍｉｃａｌｓ  Ｐｌｕｔｏｎｉｃ（登録商標）＆  Ｔｅｔｒｏｎｉｃ（登録商標）Ｓｕｒｆａｃｔａｎｔｓ」のパンフレットに見出すことができる。
【０１１３】
他の好適であるが好ましいものではない非イオン性界面活性剤としては、アルキルフェノールのポリエチレンオキシド縮合体、例えば、直鎖配置又は分枝鎖配置のいずれかで６〜１２個の炭素原子を含有するアルキル基を有するアルキルフェノールと、エチレンオキシドとの縮合生成物が挙げられ、この場合、エチレンオキシドは、アルキルフェノール１モル当たりエチレンオキシド５〜２５モルに相当する量で存在する。そのような化合物中のアルキル置換基は、オリゴマー化プロピレン、ジイソブチレンから、又はイソ−オクタン、ｎ−オクタン、イソ−ノナン、若しくはｎ−ノナンの他の供給源から誘導することができる。使用することができるその他の非イオン性界面活性剤としては、糖などの天然の供給源から誘導されるものが挙げられ、またＣ8〜Ｃ16  Ｎ−アルキルグルコースアミド界面活性剤が挙げられる。
【０１１４】
本明細書での使用に好適なアニオン性界面活性剤は、当業者には周知の、全てのアニオン性界面活性剤である。好ましくは、本明細書での使用に関するアニオン性界面活性剤としては、アルキルスルホネート、アルキルアリールスルホネート、アルキルサルフェート、アルキルアルコキシル化サルフェート、Ｃ6〜Ｃ20アルキルアルコキシル化直鎖若しくは分枝鎖ジフェニルオキシドジスルホネート、又はこれらの混合物が挙げられる。
【０１１５】
本明細書での使用に好適なアルキルスルホネートとしては、式ＲＳＯ3Ｍの、水溶性の塩又は酸が挙げられ、式中、Ｒは、Ｃ6〜Ｃ20直鎖又は分枝鎖、飽和又は不飽和のアルキル基、好ましくはＣ8〜Ｃ18アルキル基、より好ましくはＣ10〜Ｃ16アルキル基であり、Ｍは、Ｈ、あるいはカチオン、例えばアルカリ金属カチオン（例えば、ナトリウム、カリウム、リチウム）又はアンモニウム若しくは置換アンモニウム（例えば、メチル−、ジメチル−、及びトリメチルアンモニウムカチオン、並びにテトラメチル−アンモニウム及びジメチルピペリジニウムカチオンなどの第四級アンモニウムカチオン、並びにエチルアミン、ジエチルアミン、トリエチルアミンなどのアルキルアミンから誘導される第四級アンモニウムカチオン、並びにこれらの混合物など）である。
【０１１６】
本明細書での使用に好適なアルキルアリールスルホネートとしては、式ＲＳＯ3Ｍの、水溶性の塩又は酸が挙げられ、式中、Ｒは、Ｃ6〜Ｃ20直鎖又は分枝鎖、飽和又は不飽和のアルキル基、好ましくはＣ8〜Ｃ18アルキル基、より好ましくはＣ10〜Ｃ16アルキル基によって置換された、アリール、好ましくはベンジルであり、Ｍは、Ｈ、あるいはカチオン、例えばアルカリ金属カチオン（例えば、ナトリウム、カリウム、リチウム、カルシウム、マグネシウムなど）又はアンモニウム若しくは置換アンモニウム（例えば、メチル−、ジメチル−、及びトリメチルアンモニウムカチオン、並びにテトラメチル−アンモニウムカチオン及びジメチルピペリジニウムカチオンなどの第四級アンモニウムカチオン、並びにエチルアミン、ジエチルアミン、トリエチルアミンなどのアルキルアミンから誘導される第四級アンモニウムカチオン、並びにこれらの混合物など）である。
【０１１７】
Ｃ14〜Ｃ16アルキルスルホネートの一例は、Ｈｏｅｃｈｓｔより入手可能な、Ｈｏｓｔａｐｕｒ（登録商標）ＳＡＳである。市販のアルキルアリールスルホネートの一例は、Ｓｕ．Ｍａ．製のラウリルアリールスルホネートである。特に好ましいアルキルアリールスルホネートは、Ａｌｂｒｉｇｈｔ  ＆  Ｗｉｌｓｏｎより入手可能な、商品名Ｎａｎｓａ（登録商標）で市販の、アルキルベンゼンスルホネートである。
【０１１８】
本明細書での使用に好適なアルキルサルフェート界面活性剤は、式Ｒ1ＳＯ4Ｍによるものであり、式中、Ｒ1は、６〜２０個の炭素原子を含有する直鎖又は分枝鎖アルキルラジカル、及びアルキル基に６〜１８個の炭素原子を含有するアルキルフェニルラジカルからなる群から選択される、炭化水素基を表す。Ｍは、Ｈ、あるいはカチオン、例えばアルカリ金属カチオン（例えば、ナトリウム、カリウム、リチウム、カルシウム、マグネシウムなど）又はアンモニウム若しくは置換アンモニウム（例えば、メチル−、ジメチル−、及びトリメチルアンモニウムカチオン、並びにテトラメチル−アンモニウム及びジメチルピペリジニウムカチオンなどの第四級アンモニウムカチオン、並びにエチルアミン、ジエチルアミン、トリエチルアミンなどのアルキルアミンから誘導される第四級アンモニウムカチオン、並びにこれらの混合物など）である。
【０１１９】
本明細書で使用される特に好適な分枝鎖アルキルサルフェートは、合計１０〜１４個の炭素原子を含有する、例えばＩｓａｌｃｈｅｍ  １２３  ＡＳ（登録商標）などである。Ｉｓａｌｃｈｅｍ  １２３  ＡＳ（登録商標）は、Ｅｎｉｃｈｅｍより市販され、９４％が分枝状のＣ12〜13界面活性剤である。この材料は、ＣＨ3−（ＣＨ2）m−ＣＨ（ＣＨ2ＯＳＯ3Ｎａ）−（ＣＨ2）n−ＣＨ3として説明することができ、式中、ｎ＋ｍ＝８〜９である。同様に好ましいアルキルサルフェートは、アルキル鎖が合計１２個の炭素原子を含むアルキルサルフェート、すなわち、２−ブチルオクチル硫酸ナトリウムである。そのようなアルキルサルフェートは、Ｃｏｎｄｅａより、商品名Ｉｓｏｆｏｌ（登録商標）１２Ｓで市販されている。特に好適な直鎖アルキルスルホネートとしては、Ｈｏｅｃｈｓｔより市販のＨｏｓｔａｐｕｒ（登録商標）ＳＡＳのような、Ｃ12〜Ｃ16パラフィンスルホネートが挙げられる。
【０１２０】
本明細書での使用に好適なアルキルアルコキシル化サルフェート界面活性剤は、式ＲＯ（Ａ）mＳＯ3Ｍによるものであり、式中、Ｒは、非置換のＣ6〜Ｃ20アルキル又はヒドロキシアルキル基であって、Ｃ6〜Ｃ20アルキル構成要素、好ましくはＣ12〜Ｃ20アルキル又はヒドロキシアルキル、より好ましくはＣ12〜Ｃ18アルキル又はヒドロキシアルキルを有し、Ａは、エトキシ又はプロポキシ単位であり、ｍは、０よりも大きく、典型的には０．５〜６、より好ましくは０．５〜３であり、Ｍは、Ｈ又はカチオンであり、このカチオンは、例えば、金属カチオン（例えば、ナトリウム、カリウム、リチウム、カルシウム、マグネシウムなど）、アンモニウム又は置換アンモニウムカチオンとすることができる。アルキルエトキシル化サルフェート並びにアルキルプロポキシル化サルフェートが、本明細書で考察される。置換アンモニウムカチオンの具体例としては、メチル−、ジメチル−、トリメチル−アンモニウム、及びテトラメチルアンモニウム、ジメチルピペリジニウムなどの第四級アンモニウムカチオン、並びにエチルアミン、ジエチルアミン、トリエチルアミンなどのアルカノールアミンから誘導されるカチオン、並びにこれらの混合物などが挙げられる。例示的な界面活性剤は、Ｃ12〜Ｃ18アルキルポリエトキシレート（１．０）サルフェート（Ｃ12〜Ｃ18Ｅ（１．０）ＳＭ）、Ｃ12〜Ｃ18アルキルポリエトキシレート（２．２５）サルフェート（Ｃ12〜Ｃ18Ｅ（２．２５）ＳＭ）、Ｃ12〜Ｃ18アルキルポリエトキシレート（３．０）サルフェート（Ｃ12〜Ｃ18Ｅ（３．０）ＳＭ）、Ｃ12〜Ｃ18アルキルポリエトキシレート（４．０）サルフェート（Ｃ12〜Ｃ18Ｅ（４．０）ＳＭ）であり、式中、Ｍは、ナトリウム及びカリウムから便宜的に選択される。
【０１２１】
本明細書での使用に好適なＣ6〜Ｃ20アルキルアルコキシル化直鎖又は分枝鎖ジフェニルオキシドジスルホネート界面活性剤は、次式によるものである。
【０１２２】
【化１】
2013515149.tif 000004
式中、Ｒは、Ｃ6〜Ｃ20直鎖又は分枝鎖、飽和又は不飽和のアルキル基、好ましくはＣ12〜Ｃ18アルキル基、より好ましくはＣ14〜Ｃ16アルキル基であり、Ｘ＋は、Ｈ、又はカチオン、例えば、アルカリ金属カチオン（例えば、ナトリウム、カリウム、リチウム、カルシウム、マグネシウムなど）である。本明細書で使用される特に好適なＣ6〜Ｃ20アルキルアルコキシル化直鎖又は分枝鎖ジフェニルオキシドジスルホネート界面活性剤は、Ｃ12分枝鎖ジフェニルオキシドジスルホン酸、及びＣ16直鎖ジフェニルオキシドジスルホン酸ナトリウム塩であり、ＤＯＷにより、それぞれ商品名Ｄｏｗｆａｘ  ２Ａ１（登録商標）及びＤｏｗｆａｘ  ８３９０（登録商標）で市販されている。
【０１２３】
本明細書で有用な他のアニオン性界面活性剤としては、石鹸の塩（例えば、ナトリウム塩、カリウム塩、アンモニウム塩、並びにモノ−、ジ−、及びトリエタノールアミン塩などの置換アンモニウム塩が挙げられる）、Ｃ8〜Ｃ24オレフィンスルホネート、例えば英国特許明細書第１，０８２，１７９号に記載されるようなクエン酸アルカリ土類金属の熱分解生成物のスルホン化によって調製されるスルホン化ポリカルボン酸、Ｃ8〜Ｃ24アルキルポリグリコールエーテルサルフェート（最大１０モルのエチレンオキシドを含有する）；Ｃ14〜Ｃ16メチルエステルスルホネートなどのアルキルエステルスルホネート；アシルグリセロールスルホネート、脂肪族オレイルグリセロールサルフェート、アルキルフェノールエチレンオキシドエーテルサルフェート、アルキルホスフェート、アシルイセチオネートなどのイセチオネート、Ｎ−アシルタウレート、アルキルサクシナメート及びスルホサクシネート、スルホサクシネートのモノエステル（特に飽和及び不飽和Ｃ12〜Ｃ18モノエステル）、スルホサクシネートのジエステル（特に飽和及び不飽和Ｃ6〜Ｃ14ジエステル）、アシルサルコシネート、アルキルポリグルコシドのサルフェートなどのアルキル多糖類のサルフェート（後述の非イオン性非硫酸化化合物）、式ＲＯ（ＣＨ2ＣＨ2Ｏ）kＣＨ2ＣＯＯ-Ｍ+（式中、Ｒは、Ｃ8〜Ｃ22アルキルであり、ｋは、０〜１０の整数であり、Ｍは、可溶性塩形成カチオンである）のものなどのアルキルポリエトキシカルボキシレートが挙げられる。ロジン、水素添加ロジン、並びにトール油中に存在するか又はトール油から誘導される樹脂酸及び水素添加樹脂酸などの、樹脂酸及び水素添加樹脂酸もまた好適である。更なる例が、「Ｓｕｒｆａｃｅ  Ａｃｔｉｖｅ  Ａｇｅｎｔｓ  ａｎｄ  Ｄｅｔｅｒｇｅｎｔｓ」（Ｖｏｌ．Ｉ及びＩＩ、Ｓｃｈｗａｒｔｚ，Ｐｅｒｒｙ及びＢｅｒｃｈ著）に記載されている。そのような種々の界面活性剤はまた、米国特許第３，９２９，６７８号（Ｌａｕｇｈｌｉｎら、１９７５年１２月３０日発行）の第２３欄５８行目〜第２９欄２３行目にも概括的に開示されている。
【０１２４】
双極性界面活性剤は、本発明の環境の中で好ましい、別の部類の界面活性剤を表す。
【０１２５】
双極性界面活性剤は、幅広いｐＨ範囲にわたって、同一分子上に、カチオン性基及びアニオン性基の双方を含有する。典型的なカチオン性基は、第四級アンモニウム基であるが、スルホニウム基及びホスホニウム基のような、他の陽性荷電基を使用することもできる。典型的なアニオン性基は、カルボキシレート及びスルホネート、好ましくはスルホネートであるが、サルフェート、ホスフェートなどのような、他の基を使用することができる。これらの洗剤の一般的な例の一部は、米国特許第２，０８２，２７５号、同第２，７０２，２７９号、及び同第２，２５５，０８２号の特許文献に記載されている。
【０１２６】
双極性界面活性剤の具体例は、ＭｃＩｎｔｙｒｅ  Ｃｏｍｐａｎｙ（２４６０１  Ｇｏｖｅｒｎｏｒｓ  Ｈｉｇｈｗａｙ，Ｕｎｉｖｅｒｓｉｔｙ  Ｐａｒｋ，Ｉｌｌｉｎｏｉｓ  ６０４６６，ＵＳＡ）より、商品名Ｍａｃｋａｍ  ＬＨＳ（登録商標）で入手可能な、３−（Ｎ−ドデシル−Ｎ，Ｎ−ジメチル）−２−ヒドロキシプロパン−１−スルホネート（ラウリルヒドロキシルスルタイン）である。別の具体的な双極性界面活性剤は、ＭｃＩｎｔｙｒｅより、商品名Ｍａｃｋａｍ  ５０−ＳＢ（登録商標）で入手可能な、Ｃ12〜14アシルアミドプロピレン（ヒドロキシプロピレン）スルホベタインである。他の極めて有用な双極性界面活性剤としては、ヒドロカルビル、例えば、脂肪族アルキレンベタインが挙げられる。非常に好ましい双極性界面活性剤は、Ａｌｂｒｉｇｈｔ  ＆  Ｗｉｌｓｏｎにより製造される、Ｅｍｐｉｇｅｎ  ＢＢ（登録商標）、ココジメチルベタインである。同様に好ましい別の双極性界面活性剤は、ＭｃＩｎｔｙｒｅにより製造される、Ｍａｃｋａｍ  ３５ＨＰ（登録商標）、ココアミドプロピルベタインである。
【０１２７】
好ましい界面活性剤の別の部類は、両性界面活性剤からなる群を含む。１つの好適な両性界面活性剤は、Ｃ8〜Ｃ16アミドアルキレングリシネート界面活性剤（「両性グリシネート」）である。別の好適な両性界面活性剤は、Ｃ8〜Ｃ16アミドアルキレンプロピオネート界面活性剤（「両性プロピオネート」）である。他の好適な両性界面活性剤は、ドデシルβ−アラニン、米国特許第２，６５８，０７２号の教示に従ってドデシルアミンとイセチオン酸ナトリウムとの反応によって調製されるものなどの、Ｎ−アルキルタウリン、米国特許第２，４３８，０９１号の教示に従って生成されるものなどの、Ｎ−高級アルキルアスパラギン酸、及び商品名「Ｍｉｒａｎｏｌ（登録商標）」で販売される生成物などの、界面活性剤によって代表され、米国特許第２，５２８，３７８号に記載されている。
【０１２８】
キレート剤
本明細書での使用に関する、任意化合物の１つの部類としては、キレート剤、又はその混合が挙げられる。キレート剤は、本明細書の組成物中に、組成物全体の０．０重量％〜１０．０重量％、好ましくは０．０１重量％〜５．０重量％の範囲の量で、組み込むことができる。
【０１２９】
本明細書での使用に好適なホスホネートキレート剤としては、アルカリ金属エタン１−ヒドロキシジホスホネート（ＨＥＤＰ）、アルキレンポリ（アルキレンホスホネート）、並びにアミノアミノトリ（メチレンホスホン酸）（ＡＴＭＰ）、ニトリロトリメチレンホスホネート（ＮＴＰ）、エチレンジアミンテトラメチレンホスホネート、及びジエチレントリアミンペンタメチレンホスホネート（ＤＴＰＭＰ）を含めた、アミノホスホネート化合物を挙げることができる。ホスホネート化合物は、その酸形態で存在するか、又は一部若しくは全ての酸官能基による種々のカチオンの塩として存在し得る。本明細書で使用される好ましいホスホネートキレート剤は、ジエチレントリアミンペンタメチレンホスホネート（ＤＴＰＭＰ）及びエタン１−ヒドロキシジホスホネート（ＨＥＤＰ）である。そのようなホスホネートキレート剤は、Ｍｏｎｓａｎｔｏより、商品名ＤＥＱＵＥＳＴ（登録商標）で市販されている。
【０１３０】
多官能置換芳香族キレート剤もまた、本明細書の組成物中で有用とすることができる。米国特許第３，８１２，０４４号（Ｃｏｎｎｏｒら、１９７４年５月２１日発行）を参照されたい。このタイプの酸形態の好ましい化合物は、１，２−ジヒドロキシ−３，５−ジスルホベンゼンなどの、ジヒドロキシジスルホベンゼンである。
【０１３１】
本明細書での使用に好ましい生分解性キレート剤は、エチレンジアミンＮ，Ｎ’−二コハク酸、又はそのアルカリ金属塩若しくはアルカリ土類塩、アンモニウム塩若しくは置換アンモニウム塩、又はこれらの混合物である。エチレンジアミンＮ，Ｎ’−二コハク酸、特に（Ｓ，Ｓ）異性体は、米国特許第４，７０４，２３３号（Ｈａｒｔｍａｎ及びＰｅｒｋｉｎｓ、１９８７年１１月３日）で詳細に記載されている。エチレンジアミンＮ，Ｎ’−二コハク酸は、例えば、Ｐａｌｍｅｒ  Ｒｅｓｅａｒｃｈ  Ｌａｂｏｒａｔｏｒｉｅｓより、商品名ｓｓＥＤＤＳ（登録商標）で市販されている。
【０１３２】
本明細書での使用に好適なアミノカルボキシレートとしては、エチレンジアミンテトラアセテート、ジエチレントリアミンペンタアセテート、ジエチレントリアミン五酢酸（ＤＴＰＡ）、Ｎ−ヒドロキシエチルエチレンジアミントリアセテート、ニトリロトリ−アセテート、エチレンジアミンテトラプロピオネート、トリエチレンテトラミンヘキサ−アセテート、エタノール−ジグリシン、プロピレンジアミン四酢酸（ＰＤＴＡ）、及びメチルグリシン二酢酸（ＭＧＤＡ）の、それらの酸形態、あるいはそれらのアルカリ金属塩、アンモニウム塩、及び置換アンモニウム塩の形態の双方が挙げられる。本明細書で使用される特に好適なアミノカルボキシレートは、ジエチレントリアミン五酢酸、例えばＢＡＳＦより商品名Ｔｒｉｌｏｎ  ＦＳ（登録商標）で市販されているプロピレンジアミン四酢酸（ＰＤＴＡ）、及びメチルグリシン二酢酸（ＭＧＤＡ）である。
【０１３３】
本明細書での使用する更なるカルボキシレートキレート剤としては、サリチル酸、アスパラギン酸、グルタミン酸、グリシン、マロン酸、又はこれらの混合物が挙げられる。
【０１３４】
ラジカルスカベンジャー
本発明の組成物は、ラジカルスカベンジャー、又はその混合物を更に含み得る。
【０１３５】
本明細書での使用に好適なラジカルスカベンジャーとしては、周知の置換モノ及びジヒドロキシベンゼン、並びにそれらの類似体、アルキル及びアリールカルボキシレート、並びにこれらの混合物が挙げられる。本明細書での使用に関して好ましい、そのようなラジカルスカベンジャーとしては、ジ−ｔｅｒｔ−ブチルヒドロキシトルエン（ＢＨＴ）、ヒドロキノン、ジ−ｔｅｒｔ−ブチルヒドロキノン、モノ−ｔｅｒｔ−ブチルヒドロキノン、ｔｅｒｔ−ブチル−ヒドロキシアニソール、安息香酸、トルイル酸、カテコール、ｔ−ブチルカテコール、ベンジルアミン、１，１，３−トリス（２−メチル−４−ヒドロキシ−５−ｔ−ブチルフェニル）ブタン、没食子酸ｎ−プロピル、又はこれらの混合物が挙げられ、ジ−ｔｅｒｔ−ブチルヒドロキシトルエンが、非常に好ましい。没食子酸Ｎ−プロピルのようなラジカルスカベンジャーは、Ｎｉｐａ  Ｌａｂｏｒａｔｏｒｉｅｓより、商品名Ｎｉｐａｎｏｘ  Ｓ１（登録商標）で商業的に入手可能である。
【０１３６】
ラジカルスカベンジャーは、使用される場合、典型的には、本明細書では、組成物全体の最大１０重量％の量で、好ましくは０．００１重量％〜０．５重量％の量で存在し得る。ラジカルスカベンジャーの存在は、本発明の組成物の化学的安定性に貢献することができる。
【０１３７】
香料
本明細書での使用に好適な香料化合物及び香料組成物は、例えば、欧州特許出願第０  ９５７  １５６号の、１３ページの表題「Ｐｅｒｆｕｍｅ」の項に記載されているものである。本明細書の組成物は、香料成分、又はその混合物を、組成物全体の最大５．０重量％の量で、好ましくは０．１重量％〜１．５重量％の量で含み得る。
【０１３８】
染料
本発明による液体組成物は、着色することができる。したがって、それらの組成物は、染料、又はその混合物を含み得る。
【０１３９】
組成物の供給形態
本明細書の組成物は、液体組成物を注ぐためのプラスチックボトル、スクイーズボトル、又は液体組成物を噴霧するためのトリガー噴霧器を装備するボトルなどの、当業者には既知の様々な好適なパッケージ内に、パッケージングすることができる。あるいは、本発明によるペースト様組成物を、チューブ内に充填することができる。
【０１４０】
本明細書での代替的な実施形態では、本明細書の液体組成物は基材をに含浸され、好ましくは、この基材は、スポンジなどの材料の可撓性で薄いシート又はブロックの形態である。
【０１４１】
好適な基材は、織布若しくは不織布のシート、セルロース材料系のシート、スポンジ、又は連続気泡構造を有する発泡体、例えば、ポリウレタン発泡体、セルロース系発泡体、メラミン発泡体などである。
【０１４２】
表面の洗浄方法
本発明は、本発明による液体組成物を使用して、表面を洗浄及び／又はクレンジングするプロセスを包含する。本明細書における好適な表面は、上記の「液体洗浄／クレンジング組成物」の項で説明されている。
【０１４３】
好ましい実施形態では、表面を、本発明による組成物と接触させ、好ましくは、組成物をその表面上に塗布する。
【０１４４】
別の好ましい実施形態では、本明細書の方法は、本発明による液体組成物を、その液体組成物を収容する容器から分配する（例えば、噴霧する、注ぐ、搾り出すことによって）工程と、その後に、表面を洗浄及び／又はクレンジングする工程とを含む。
【０１４５】
本明細書の組成物は、非希釈の形態、又は希釈形態であってよい。
【０１４６】
「非希釈の形態で」とは、液体組成物が、なんら希釈されることなく、処理される表面上に直接塗布されること、すなわち、本明細書の液体組成物を、本明細書で説明されるような表面上に塗布することであると理解するべきである。
【０１４７】
「希釈形態」とは、本明細書では、液体組成物が、典型的にはユーザーによって水で希釈されることを意味する。液体組成物は、使用前に、重量の最大１０倍の水で典型的な希釈濃度に希釈される。通常推奨される希釈濃度は、水による組成物の１０％希釈である。
【０１４８】
本明細書の組成物は、希釈又は未希釈の、本明細書の組成物中に浸漬させた、モップ、ペーパータオル、ブラシ（例えば、歯ブラシ）又は布などの適切な用具を使用して塗布することができる。更には、組成物を、表面上に塗布した後、適切な用具を使用して、表面上で攪拌することができる。実際に、その表面を、モップ、ペーパータオル、ブラシ、又は布を使用して拭くことができる。
【０１４９】
本明細書の方法は、好ましくは組成物の塗布後にすすぎ工程を更に含み得る。「すすぐ」とは、本明細書では、本明細書の液体組成物を表面上に塗布する工程の直後に、本発明による方法で洗浄／クレンジングされた表面を、相当量の適切な溶媒、典型的には水と、接触させることを意味する。「相当量」とは、本明細書では、１ｍ2の表面当たり０．０１リットル〜１リットルの水、より好ましくは、１ｍ2の表面当たり０．１リットル〜１リットルの水を意味する。
【０１５０】
本明細書の非常に好ましい実施形態では、洗浄／クレンジング方法は、本発明による液体組成物を使用して、家庭の硬質表面を洗浄する方法である。
【０１５１】
洗浄有効性
洗浄有効性の試験方法：
セラミック製タイル（典型的な、光沢性で白色の２４ｃｍ×４ｃｍのセラミック）を、０．３ｇの、主にステアリン酸カルシウム及び市販の人工的な身体汚れをベースとする、典型的なグリース状石鹸かすの汚れで覆う（噴霧器を介してタイルに適用する）。次に、汚したタイルを、１４０℃の温度で、１０〜４５分間、好ましくは４０分間、オーブン内で乾燥させ、次に、湿度制御環境（ＲＨ  ６０〜８５％、好ましくは７５％）下で、２〜１２時間、室温で時効処理する。次に、汚したタイルを、本発明の組成物５ｍＬを直接注ぎ出したＳｐｏｎｔｅｘ（登録商標）セルローススポンジ（水で予備湿潤させておく）を使用して洗浄する。次に、粒子組成物でコーティングされた側面をタイルと向きあわせて、スポンジを湿式磨耗擦洗試験装置（Ｓｈｅｅｎ  Ｉｎｓｔｒｕｍｅｎｔｓ  Ｌｔｄ．（Ｋｉｎｇｓｔｏｎ，Ｅｎｇｌａｎｄ）製のものなど）上に搭載する。この磨耗試験機は、圧力（例えば、６００ｇ）を供給し、試験表面上で、スポンジを、設定衝程長（例えば、３０ｃｍ）で、設定速度（例えば、毎分３７衝程）で、移動させるように構成することができる。組成物がグリース状石鹸かすを除去する能力は、視覚的評価により判定される、表面を完全に洗浄するために必要な衝程数によって測定される。衝程の数が少ないほど、組成物のグリース状石鹸かす洗浄能力は高い。
【０１５２】
以下の洗浄データは、洗浄剤（３．５％非イオン性界面活性剤Ｃ１２ＥＯ５）に１％の研磨剤粒子を使用することで得られる。実施例の洗浄データを生成するために使用される研磨洗浄粒子は、７ｋｇ／ｍｍ2のビッカース硬さの値を有するポリウレタン発泡体から作製された。この研磨洗浄粒子は、硬質ポリウレタン発泡体から、その発泡体を研磨洗浄粒子へとグラインド加工することによって得られる。
【０１５３】
【表１】
2013515149.tif 000005
【０１５４】
実施例９〜１２は、研磨洗浄粒子が本発明の範囲外のものである場合の、比較実施例である。
【０１５５】
表面安全性
表面損傷の方法：
試験粒子によって作り出される表面損傷を測定するために、試験される研磨剤粒子０．２ｇと、ＮＥＯＤＯＬ  Ｃ９−１１  ＥＯ８界面活性剤（Ｓｈｅｌｌ  Ｃｈｅｍｉｃａｌｓ）の水性ローション（３重量％の界面活性剤）４ｇとを混合する。４ｃｍ×８．５ｃｍ（及び厚さ４．５ｃｍ）の寸法の、新しいセルロースキッチンスポンジ（Ｓｐｏｎｔｅｘ（登録商標）など）を、蒸留水又は脱イオン水２４ｍＬで湿潤させ、次に、スポンジの一方の４ｃｍ×８．５ｃｍの面上に、界面活性剤と粒子との混合物を均等に散布して添着させる。次に、粒子及び界面活性剤でコーティングされた面を試験表面に向き合わせて、スポンジを湿式磨耗擦洗試験装置（Ｓｈｅｅｎ  Ｉｎｓｔｒｕｍｅｎｔｓ  Ｌｔｄ．（Ｋｉｎｇｓｔｏｎ，Ｅｎｇｌａｎｄ）製のものなど）に搭載する。試験表面としては、２５ｋｇ／平方ｍｍ（＋／−２）のビッカースＨＶ硬さの値（標準試験方法ＩＳＯ  １４５７７を使用して測定する場合）を有する、無着色で透明の、未加工のポリ（メチルメタクリレート）の新しいシート（ＰＭＭＡ、プレキシガラス、パースペクス、ルーサイトとしても既知）を使用すべきである。摩耗試験機は、６００ｇの圧力を供給し、試験表面上で、スポンジを、３０ｃｍの衝程長で、毎分３７ストロークの速度で移動させるように設定すべきである。この湿式磨耗擦洗試験装置は、１，０００ストローク（すなわち、１，０００回の単一方向変位）を実行可能とするべきであり、次いで、スポンジに、追加の研磨剤０．２ｇ及び界面活性剤４ｇのローションを再添着させる。スポンジに再添着する際、追加の水は適用するべきではない。スポンジには、この方式で１，０００ストローク毎の再添着を連続１０回行なう（すなわち、１つの試験表面当たり、合計で１０，０００ストローク）。試験表面への損傷の評価は、１０，０００ストロークが完了した後に行なう。スポンジは、破れるか又は裂けるように損壊しない限り、試験の間に取り替えるべきではない。損壊した場合には、試験を完了するために、元のスポンジに関する指示に従って、新たなスポンジを湿潤させ、添着し、取り付けするべきである。
【０１５６】
ポリ（メチルメタクリレート）試験表面上の表面損壊を評価するために、次の５段階の表面損壊尺度に従って、視覚により等級付する：０＝擦り傷は見えず；１＝擦り傷が見えると思われる；２＝小さい擦り傷が確実に見える；３＝多数の擦り傷が見える；４＝多くの損傷が見える。視覚による損傷の等級付けは、５人の個別の等級選別人によって与えられる等級の平均である。
【０１５７】
更には、ポリ（メチルメタクリレート）試験表面上の表面損傷はまた、ＴＲ  ２００（ＰｏｒｔａｂｌｅＴｅｓｔｅｒｓ．ｃｏｍ  ＬＬＣ）などの粗度試験機を使用して、スポンジ研磨された表面の粗度を測定することによっても評価される。以下のものを含めた幾つかのプロファイル粗度パラメーターが測定される：平均最大高さ（Ｒｚ）；合計のピーク対谷部分の高さ（Ｒｔ）；最大ピーク高さ（Ｒｐ）；最大谷部分深さ（Ｒｖ）；凹凸の平均間隔（ＲＳｍ）；及び歪度（Ｒｓｋ）。
【０１５８】
【表２】
2013515149.tif 000006
*  研磨剤粒子は、同じ硬度（７のビッカース硬さの値）を有するポリウレタン発泡体から作製されることに注意。
**  粗度パラメーターは、表面損傷を指示するパラメーターであり、粒子形状を定義するために使用される粗度パラメーターに関連するものではない。
【実施例】
【０１５９】
以下のこれらの組成物は、記載される成分を、記載される比率（重量％）で含んで作製された。本明細書での実施例１〜４３は、本発明を例示する目的に適うものであるが、必ずしも、本発明の範囲を限定するか、又は他の方法で規定するために使用されるものではない。
【０１６０】
以下の実施例で使用される研磨剤粒子を、硬質ポリウレタン発泡体（制御された発泡体構造、例えば、発泡体密度、気泡サイズ、壁体アスペクト比、及び気泡サイズ含有％）から、グラインド加工した。ポリウレタン発泡体は、ジイソシアネート（例えば、高分子メチレンジフェニルジイソシアネートに基づく）とポリオール（例えば、ポリエーテル又はポリエステル系ポリオール）との反応から合成される。この場合、ジイソシアネートは、例えば、ＢＡＳＦ製のＬｕｐｒａｎａｔｅ  Ｍ２００Ｒであり、ポリオールは、例えば、ＢＡＳＦ製のＬｕｐｒａｎｏｌ  ３４２３である。発泡体を、小粒子へとグラインド加工し、回転式ミルを使用して篩い分けし、粒子の選択を、Ｒｅｔｓｃｈ製のエアジェット篩い分け計器を使用して実施した。
【０１６１】
【表３】
2013515149.tif 000007
【０１６２】
【表４】
2013515149.tif 000008
【０１６３】
【表５】
2013515149.tif 000009
【０１６４】
【表６】
2013515149.tif 000010
【０１６５】
【表７】
2013515149.tif 000011
【０１６６】
【表８】
2013515149.tif 000012
【０１６７】
【表９】
2013515149.tif 000013
【０１６８】
【表１０】
2013515149.tif 000014
【０１６９】
上記の拭き取り布用ローション組成物を、非水溶性基材：約０．８０ｍｍのキャリパーを有する、坪量５６グラム毎平方メートルの、７０％ポリエステル及び３０％レーヨンを含むおよそ幅１６ｃｍ×長さ１９ｃｍ（幅６．５インチ×長さ７．５インチ）の、パターン付き水流交絡不織布、に添着させる。所望により、この基材を、従来の基材コーティング技術を使用して、ジメチコン（Ｄｏｗ  Ｃｏｒｎｉｎｇ  ２００  Ｆｌｕｉｄ  ５ｃｓｔ）で予備コーティングすることができる。重量比約２：１のローション対拭き取り布は、従来の基材コーティング技術を用い得られる。
【０１７０】
【表１１】
2013515149.tif 000015
【０１７１】
【表１２】
2013515149.tif 000016
【０１７２】
【表１３】
2013515149.tif 000017
*  供給元の使用指示に従い、塩基を使用してアクリレートコポリマーを活性化する
**  酸を添加して、配合物のｐＨをより低く調整することができる
１．Ｎｏｖｅｏｎ（商標），Ｉｎｃ．製の、カーボポールＡｑｕａ  ＳＦ−１（登録商標）
２．Ｎｏｖｅｏｎ（商標），Ｉｎｃ．製の、カーボポールＵｌｔｒｅｚ  ２１（登録商標）
３．Ｒｈｏｄｉａ製の、Ｍｉｒａｎｏｌ（登録商標）Ｕｌｔｒａ  Ｌ３２
４．Ｃｈｅｍｒｏｎ製の、Ｇｌｕｃａｍａｔｅ  ＬＴ（登録商標）
５．Ｃｒｏｄａ製の、Ｃｒｏｔｈｉｘ（登録商標）
【０１７３】
実施例２４〜２７を、以下の方法で作製する：
製剤の脱イオン自由水に、カーボポール（登録商標）を添加する。カチオン及びベタインを除く、全ての界面活性剤を添加する。ｐＨが６未満である場合には、中和剤（典型的には、塩基、すなわち、トリエタノールアミン、水酸化ナトリウム）を添加して、６よりも大きいｐＨに調整する。必要な場合には、穏やかに加熱して、粘度を減少させ、空気の混入を最小限に抑える手助けをする。ベタイン及び／又はカチオン性界面活性剤を添加する。コンディショニング剤、追加のレオロジー変性剤、真珠光沢化剤、カプセル化材料、剥離剤、防腐剤、染料、芳香剤、研磨剤粒子、及び他の望ましい成分を添加する。最後に、必要に応じて、酸（すなわち、クエン酸）を使用してｐＨを低減し、及び塩化ナトリウムを添加して粘度を増大させる。
【０１７４】
【表１４】
2013515149.tif 000018
Ｚｅｏｄｅｎｔ  １１９、１０９、及び１６５は、Ｊ．Ｍ．Ｈｕｂｅｒ  Ｃｏｒｐｏｒａｔｉｏｎにより販売される沈殿シリカ材料である。
Ｇａｎｔｒｅｚは、無水マレイン酸又はマレイン酸と、メチルビニルエーテルとのコポリマーである。
ＣＭＣ  ７Ｍ８ＳＦは、カルボキシメチルセルロースナトリウムである。
ポロキサマーは、第１級ヒドロキシル基で終端される、二官能性ブロックポリマーである。
【０１７５】
【表１５】
2013515149.tif 000019
【０１７６】
【表１６】
2013515149.tif 000020
【０１７７】
【表１７】
2013515149.tif 000021
１  アクリルアミド（ＡＭ）とＴＲＩＱＵＡＴとのコポリマー、ＭＷ＝１，０００，０００；ＣＤ＝１．６ミリ当量／グラム；Ｒｈｏｄｉａ
２  Ｊａｇｕａｒ  Ｃ５００、ＭＷ＝５００，０００、ＣＤ＝０．７、Ｒｈｏｄｉａ
３  Ｍｉｒａｐｏｌ  １００Ｓ、３１．５％活性、Ｒｈｏｄｉａ
４  ジメチコン液、Ｖｉｓｃａｓｉｌ  ３３０Ｍ；３０マイクロメートル粒径；Ｍｏｍｅｎｔｉｖｅ  Ｓｉｌｉｃｏｎｅｓ
【０１７８】
本明細書に開示される寸法及び値は、記載された正確な数値に厳しく制限されるものとして理解されるべきでない。それよりむしろ、特に指定のない限り、そのような各寸法は、記載された値と、その値周辺の機能的に同等の範囲との双方を意味することを意図する。例えば、「４０ｍｍ」として開示された寸法は、「約４０ｍｍ」を意味することを意図する。
【図１】
2013515149.tif 000022
【図２】
2013515149.tif 000023
【国際調査報告】
2013515149.tif 000024
2013515149.tif 000025
2013515149.tif 000026